(57)【要約】【課題】信号伝送の方法及び装置、通信システム、端末、並びに基地局を提供を提供する。【解決手段】本発明は、信号伝送の方法及び装置、通信システム、端末並びに基地局を提供しており、本方法は、チャネルの繰り返し係数又は拡張シーケンスを決定するステップと、この繰り返し係数又は拡張シーケンスの長さに従って伝送サブフレームであるような時間領域リソースを決定するステップと、チャネルの伝送サブフレームを使用することによって信号を送信するステップと、を含む。本発明が提供する信号伝送の方法、装置、通信システム、端末及び基地局によれば、従来技術の信号伝送方法におけるチャネル・カバー域が不十分であるという技術的問題を解決することが可能である。【選択図】図１
2018023150.tif 000002
【特許請求の範囲】
【請求項１】
チャネルの繰り返し係数又は拡張シーケンスを決定するステップと、
前記繰り返し係数又は前記拡張シーケンスの長さに従って伝送サブフレームであるような時間領域リソースを決定するステップと、
前記伝送サブフレームを使用することによって信号を送信するステップと、
を含む信号伝送方法。
【請求項２】
チャネルの繰り返し係数又は拡張シーケンスを決定する前記ステップの前に、前記チャネルの周波数リソースを決定するステップをさらに含み、
前記チャネルの前記伝送サブフレームを使用することによって信号を送信する前記ステップが、前記チャネルの前記周波数リソース及び前記伝送サブフレームを使用することによって前記信号を送信している、請求項１に記載の方法。
【請求項３】
前記チャネルは、物理ランダム・アクセス・チャネル（ＰＲＡＣＨ）又は物理上りリンク共有チャネル（ＰＵＳＣＨ）である、請求項１に記載の方法。
【請求項４】
前記チャネルが前記ＰＲＡＣＨである場合に、前記チャネルの周波数リソースを決定する前記ステップが、
前記ＰＲＡＣＨの物理リソース・ブロック・オフセット
（外１）
2018023150.tif 000066
及び前記ＰＲＡＣＨに対応するリソース・ブロックの数に従って前記ＰＲＡＣＨの周波数リソースを決定するステップ、又は
前記ＰＲＡＣＨの物理リソース・ブロック・オフセット
（外２）
2018023150.tif 000067
、前記ＰＲＡＣＨに対応するリソース・ブロックの数、及び前記ＰＲＡＣＨのサブキャリア・オフセット
（外３）
2018023150.tif 000068
に従って前記ＰＲＡＣＨの周波数リソースを決定するステップ、
を含む、請求項２に記載の方法。
【請求項５】
チャネルの繰り返し係数又は拡張シーケンスを決定する前記ステップの前に、
基地局によって送信された、前記チャネルの前記繰り返し係数を含む通知メッセージを受信するステップであって、チャネルの繰り返し係数を決定する前記ステップが、前記通知メッセージに含まれる前記チャネルの前記繰り返し係数を取得すると共に、繰り返し係数を決定している、受信するステップ、又は
基地局によって送信された、拡張シーケンス識別子を含む通知メッセージを受信するステップであって、チャネルの拡張シーケンスを決定する前記ステップが、前記通知メッセージに含まれる前記拡張シーケンス識別子を取得すると共に、前記拡張シーケンス識別子に従って拡張シーケンスを決定している、受信するステップ、
をさらに含む請求項４に記載の方法。
【請求項６】
前記チャネルが前記ＰＲＡＣＨであり、且つ前記通知メッセージが、前記ＰＲＡＣＨの前記物理リソース・ブロック・オフセット
（外４）
2018023150.tif 000069
及び前記サブキャリア・オフセット
（外５）
2018023150.tif 000070
をさらに含む、請求項５に記載の方法。
【請求項７】
前記チャネルが前記ＰＵＳＣＨであり、且つ前記通知メッセージが、前記ＰＵＳＣＨの前記リソース・ブロック指示及び前記リソース・エレメント・セット指示をさらに含む、請求項５に記載の方法。
【請求項８】
前記通知メッセージに含まれる前記チャネルの前記周波数リソースが、少なくとも１つの繰り返し係数又は少なくとも１つの拡張シーケンス識別子に対応する、請求項５から７のいずれか一項に記載の方法。
【請求項９】
前記チャネルが前記ＰＲＡＣＨである場合に、前記通知メッセージが、システム情報ブロック（ＳＩＢ）メッセージ及び／又は下りリンク制御情報（ＤＣＩ）メッセージである、請求項５から８のいずれか一項に記載の方法。
【請求項１０】
前記通知メッセージが前記ＳＩＢメッセージである場合に、前記ＰＲＡＣＨの前記周波数リソースの情報又は前記ＰＲＡＣＨの繰り返し係数若しくは拡張シーケンス識別子が、前記ＳＩＢメッセージの物理ランダム・アクセス・チャネル構成情報ＰＲＡＣＨ−ＣｏｎｆｉｇＩｎｆｏフィールド、又は物理ランダム・アクセス・チャネル・マシン・タイプ通信構成情報ＰＲＡＣＨ−ＣｏｎｆｉｇＩｎｆｏＭＴＣフィールドに配置されている、請求項９に記載の方法。
【請求項１１】
基地局によって送信された通知メッセージを受信する前記ステップが、
前記ＰＲＡＣＨの一群の周波数リソースの情報又はＰＲＡＣＨの一群の繰り返し係数又は一群の拡張シーケンス識別子を含むＳＩＢメッセージを受信するステップと、
前記ＰＲＡＣＨの前記一群の周波数リソースの情報中の１つの周波数リソースの情報又は前記ＰＲＡＣＨの前記一群の繰り返し係数中の１つの繰り返し係数又は前記一群の拡張シーケンス識別子中の１つの拡張シーケンス識別子を含むＤＣＩメッセージを受信するステップと、
を含む、請求項５に記載の方法。
【請求項１２】
チャネルの繰り返し係数又は拡張シーケンスを決定する前記ステップが、
基地局によって送信された前記チャネルの目標受信電力を含むシステム・メッセージを受信するステップと、
前記チャネルの最大送信電力、経路損失及び前記目標受信電力に従って、前記チャネルが前記繰り返し係数又は前記拡張シーケンスを使用することによって送信することを要するかどうかを判定するステップと、
諾の場合に、前記チャネルの前記繰り返し係数の決定、又は、前記チャネルの前記拡張シーケンスの前記長さの決定及び前記拡張シーケンスの前記長さに対応する前記拡張シーケンスの決定を行うステップと、
を含む、請求項１から１１のいずれか一項に記載の方法。
【請求項１３】
前記チャネルの前記繰り返し係数の決定、又は、前記チャネルの前記拡張シーケンスの前記長さの決定及び前記拡張シーケンスの前記長さに対応する前記拡張シーケンスの決定を行う前記ステップが、
前記チャネルの前記最大送信電力、前記経路損失及び前記目標受信電力に従って、前記チャネルの前記繰り返し係数の決定、又は、前記チャネルの前記拡張シーケンスの前記長さの決定及び前記拡張シーケンスの前記長さに対応する前記拡張シーケンスの決定を行うステップを含む、請求項１２に記載の方法。
【請求項１４】
前記チャネルが前記ＰＲＡＣＨである場合に、前記繰り返し係数又は前記拡張シーケンスの長さに従って伝送サブフレームであるような時間領域リソースを決定する前記ステップが、
前記繰り返し係数又は前記拡張シーケンスの前記長さに従うと共に前記ＰＲＡＣＨのフォーマットに従って伝送サブフレーム数Ｎを決定するステップと、
ランダム・アクセス構成インデックス及び前記伝送サブフレーム数Ｎに従って伝送サブフレームを決定するステップと、
を含む、請求項１から６及び８から１３のいずれか一項に記載の方法。
【請求項１５】
ランダム・アクセス構成インデックス及び前記伝送サブフレーム数Ｎに従って伝送サブフレームを決定する前記ステップが、
前記ランダム・アクセス構成インデックスに従って無線フレーム内の前記ＰＲＡＣＨの利用可能なサブフレーム番号を決定するステップと、
少なくとも１つの無線フレーム内の前記利用可能なサブフレーム番号を巡回式に使用すると共に、Ｎ個の対応するサブフレームを伝送サブフレームとして決定すること、又は無線フレーム内にあると共に前記利用可能なサブフレーム番号のうちの任意の１つに対応するサブフレームを開始サブフレームとして使用し、前記開始サブフレームから始まる連続するＮ個のサブフレームを伝送サブフレームとして選択すること、を行うステップと、
を含む、請求項１４に記載の方法。
【請求項１６】
前記チャネルが前記ＰＵＳＣＨである場合に、前記繰り返し係数又は前記拡張シーケンスの長さに従って時間領域リソースを決定する前記ステップが、
前記繰り返し係数又は前記拡張シーケンスの前記長さに従うと共に前記ＰＵＳＣＨのフォーマットに従って伝送サブフレーム数Ｎを決定するステップと、
原初ＰＵＳＣＨの伝送サブフレームを開始サブフレームｍとして使用すると共に、前記開始サブフレームｍから始まる連続するＮ個のサブフレームを伝送サブフレームとして選択するステップと、
を含む、請求項１から３、５、７、８、１２及び１３のいずれか一項に記載の方法。
【請求項１７】
前記チャネルが前記ＰＵＳＣＨである場合に、前記チャネルの前記伝送サブフレームを使用することによって信号を送信する前記ステップが、
サブフレーム番号がｍ１であるサブフレームにおいて、基地局によって送信されたＤＣＩメッセージ又は混成自動反復要求−肯定応答ＨＡＲＱ−ＡＣＫメッセージを受信するステップであって、前記サブフレームｍ１はサブフレームｐ１＋４の前にあり且つｐ１は１つのＰＵＳＣＨ伝送中の最終サブフレームのサブフレーム番号である、受信するステップと、
前記ＤＣＩメッセージ又は前記ＨＡＲＱ−ＡＣＫメッセージによって、前記基地局が目下のＰＵＳＣＨ伝送で信号を首尾よく受信したことが指示された場合に、ｋ１を事前設定の整数であるとしてサブフレームｍ１＋ｋ１において前記目下の伝送を終了するステップと、
を含む、請求項１から３、５、７、８、１２、１３及び１６のいずれか一項に記載の方法。
【請求項１８】
前記チャネルが前記ＰＲＡＣＨである場合に、前記チャネルの前記伝送サブフレームを使用することによって信号を送信する前記ステップが、
時間ウィンドウの開始サブフレームのサブフレーム番号ｗ及び前記時間ウィンドウの長さを決定するステップであって、前記時間ウィンドウの前記開始サブフレームｗはサブフレームｐ２＋３の前にあり、且つｐ２は１つのＰＲＡＣＨ伝送中の最終サブフレームのサブフレーム番号である、決定するステップと、
前記時間ウィンドウ内のサブフレーム番号がｍ２であるサブフレームにおいて、基地局によって送信されたランダム・アクセス応答ＲＡＲを受信するステップと、
ｋ２が事前設定の整数であるとしてサブフレームｍ２＋ｋ２において目下の伝送を終了するステップと、
を含む、請求項１から６、８から１１及び１２から１５のいずれか一項に記載の方法。
【請求項１９】
時間ウィンドウの開始サブフレームのサブフレーム番号ｗを決定する前記ステップが、
ｔ１及びｔ２が事前設定の整数であり、且つｎ２が１つのＰＲＡＣＨ伝送中の開始サブフレームのサブフレーム番号であるとして、ｗ＝ｐ２−ｔ１又はｗ＝ｎ２＋ｔ２であることに従って前記時間ウィンドウの前記開始サブフレームｗを決定するステップを含む、請求項１８に記載の方法。
【請求項２０】
チャネルの繰り返し係数又は拡張シーケンスを決定するように構成された繰り返し係数又は拡張シーケンスを決定するためのモジュールと、
前記繰り返し係数又は前記拡張シーケンスの長さに従って伝送サブフレームであるような時間領域リソースを決定するように構成された伝送サブフレーム決定モジュールと、
前記チャネルの前記伝送サブフレームを使用することによって信号を送信するように構成された送信モジュールと、
を備える信号伝送装置。
【請求項２１】
チャネルの繰り返し係数又は拡張シーケンスを決定するように構成された繰り返し係数又は拡張シーケンスを決定するためのモジュールと、
前記繰り返し係数又は前記拡張シーケンスの長さに従って伝送サブフレームであるような時間領域リソースを決定するように構成された伝送サブフレーム決定モジュールと、
前記チャネルの前記伝送サブフレームを使用することによって信号を受信するように構成された受信モジュールと、
を備える信号伝送装置。
【請求項２２】
請求項１から１９のいずれか一項に記載の方法をコンピュータに実行させるプログラムがその上に記録されたコンピュータ可読記憶媒体。
【発明の詳細な説明】
【技術分野】
【０００１】
本発明は、通信技術に関し、また詳細には信号伝送方法及び装置、通信システム、端末、並びに基地局に関する。
【背景技術】
【０００２】
直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：これ以降略してＯＦＤＭＡ）は、３Ｇシステム及び／又は４Ｇシステムのシステム・キー多元接続となっていると共に、ロング・ターム・エボリューション（Ｌｏｎｇ  Ｔｅｒｍ  Ｅｖｏｌｕｔｉｏｎ：略してＬＴＥ）／ロング・ターム・エボリューションアドバンスト（ＬＴＥ−Ａｄｖａｎｃｅｄ：略してＬＴＥ−Ａ）システムによって用いられる多元接続技術であり、またこの多元接続技術において信号伝送に使用されるリソースは時間と周波数という２つの次元を含むような時間−周波数リソースである。時間の次元からは、無線フレーム１つは、１０ｍｓの長さを有すると共に１０個のサブフレームを含み、各サブフレームは１ｍｓの長さを有し、且つ各サブフレームは２つのタイムスロットを含み、各タイムスロットは、７つのノーマル巡回プレフィックス（Ｃｙｃｌｉｃ  Ｐｒｅｆｉｘ：これ以降略してＣＰ）又は６つの直交周波数分割多元（Ｏｒｔｈｏｇｏｎａｌ  Ｆｒｅｑｕｅｎｃｙ  Ｄｉｖｉｓｉｏｎ  Ｍｕｌｔｉｐｌｅ：略してＯＦＤＭ）シンボル（ＣＰが拡張されている場合）を含む。周波数の次元からは、ＯＦＤＭシンボルのサブキャリアをリソース・エレメント（Ｒｅｓｏｕｒｃｅ  Ｅｌｅｍｅｎｔ：これ以降略してＲＥ）と呼んでおり、１２個のサブキャリアと１つのタイムスロットによって１つのリソース・ブロック（Ｒｅｓｏｕｒｃｅ  Ｂｌｏｃｋ：これ以降略してＲＢ）が形成されると共に、１つのサブフレームの２つのリソース・ブロックのことをリソース・ブロック対と呼んでいる。これを短くして、リソース・ブロックと呼ぶことが多い。リソース・ブロックは、物理リソース・ブロックと仮想リソース・ブロックとを含む。通信プロセスの間に、これらの時間−周波数リソースによってサービス・データとシステム情報の両方が伝送される。
【０００３】
従来技術では、物理ランダム・アクセス・チャネル（Ｐｈｙｓｉｃａｌ  Ｒａｎｄｏｍ  Ａｃｃｅｓｓ  Ｃｈａｎｎｅｌ：略してＰＲＡＣＨ）は１つ又は２つのサブフレームで伝送されると共にその最大送信時間が２サブフレーム（すなわち、２ｍｓ）であり、また物理上りリンク共有チャネル（Ｐｈｙｓｉｃａｌ  Ｕｐｌｉｎｋ  Ｓｈａｒｅ  Ｃｈａｎｎｅｌ：略してＰＵＳＣＨ）は、１つのサブフレームで伝送されるのが一般的である。別法として、基地局がある端末について伝送時間間隔（Ｔｒａｎｓｍｉｓｓｉｏｎ  Ｔｉｍｅ  Ｉｎｔｅｒｖａｌ：略してＴＴＩ）バンドリングを構成した後で、そのバンドリング・タイムの数が指定され、端末がバンドリング・タイム内でＰＵＳＣＨを送信し、且つＰＵＳＣＨのＴＴＩバンドリング・タイムの最大数を４とする、すなわち、最大送信時間が４サブフレーム（すなわち、４ｍｓ）である。
【０００４】
ＰＲＡＣＨの最大送信時間とＰＵＳＣＨの最大送信時間は両方共に短い一方、送信端の最大送信電力は固定のパラメータとなっており、したがってＰＲＡＣＨのエネルギーとＰＵＳＣＨのエネルギーとは小さく、ＰＲＡＣＨ及びＰＵＳＣＨを送達できる最大距離は短くカバー域が不十分であることが理解できよう。特に信号伝送環境が満足でない場合、例えば、伝送経路に多くの障害が存在する場合又は天候が悪い場合には、従来技術におけるＰＲＡＣＨ及びＰＵＳＣＨのカバー域は使用需要を満たすことができず、このため基地局などの受信端は、送信端によって送信された信号を正確に受信することが不可能である。
【発明の概要】
【０００５】
本発明は、信号伝送の方法及び装置、通信システム、端末、並びに基地局を提供し、これにより従来技術の信号伝送方法における不十分なチャネル・カバー域の問題を解決する。
【０００６】
第１の態様では、本発明の一実施形態は、
チャネルの繰り返し係数又は拡張シーケンスを決定するステップと、
繰り返し係数又は拡張シーケンスの長さに従って伝送サブフレームであるような時間領域リソースを決定するステップと、
チャネルの伝送サブフレームを使用することによって信号を送信するステップと、
を含む信号伝送方法を提供する。
【０００７】
第１の態様の第１の可能な実装方式では、チャネルの繰り返し係数又は拡張シーケンスを決定するステップの前に、本方法は、
チャネルの周波数リソースを決定するステップをさらに含み、ここで
これに対応して、チャネルの伝送サブフレームを使用することによって信号を送信するステップが具体的には、チャネルの周波数リソース及び伝送サブフレームを使用することによって信号を送信している。
【０００８】
第１の態様の第２の可能な実装方式では、チャネルは、物理ランダム・アクセス・チャネル（ＰＲＡＣＨ）又は物理上りリンク共有チャネル（ＰＵＳＣＨ）である。
【０００９】
第１の態様の第２の可能な実装方式に従った第３の可能な実装方式では、当該チャネルがＰＲＡＣＨである場合に、チャネルの周波数リソースを決定するステップが、
ＰＲＡＣＨの物理リソース・ブロック・オフセット
【００１０】
（外１）
2018023150.tif 000003
及びＰＲＡＣＨに対応するリソース・ブロックの数に従ってＰＲＡＣＨの周波数リソースを決定するステップ、又は
ＰＲＡＣＨの物理リソース・ブロック・オフセット
【００１１】
（外２）
2018023150.tif 000004
、ＰＲＡＣＨに対応するリソース・ブロックの数、及びＰＲＡＣＨのサブキャリア・オフセット
【００１２】
（外３）
2018023150.tif 000005
に従ってＰＲＡＣＨの周波数リソースを決定するステップ、
を含む。
【００１３】
第１の態様の第３の可能な実装方式に従った第４の可能な実装方式では、ＰＲＡＣＨに対応するリソース・ブロックの数は、１、２若しくは３、又はｎ／１２（ｎは１２未満の整数）である。
【００１４】
第１の態様の第２の可能な実装方式に従った第５の可能な実装方式では、当該チャネルがＰＵＳＣＨである場合に、チャネルの周波数リソースを決定するステップが、
ＰＵＳＣＨのリソース・ブロック指示及びリソース・エレメント・セット指示に従ってＰＵＳＣＨの周波数リソースを決定するステップを含む。
【００１５】
第１の態様の第５の可能な実装方式に従った第６の可能な実装方式では、ＰＵＳＣＨのリソース・エレメント・セット指示が、仮想サブキャリアを決定するために使用されている。
【００１６】
第１の態様及び第１の態様の第１から第６の可能な実装方式のうちのいずれか１つに従った第７の可能な実装方式では、チャネルの繰り返し係数又は拡張シーケンスを決定するステップの前に、本方法は、
基地局によって送信された、チャネルの繰り返し係数を含む通知メッセージを受信するステップであって、このチャネルの繰り返し係数を決定するステップが具体的に、通知メッセージに含まれるチャネルの繰り返し係数を取得すると共に繰り返し係数を決定している、受信するステップ、又は
基地局によって送信された、拡張シーケンス識別子を含む通知メッセージを受信するステップであって、このチャネルの拡張シーケンスを決定するステップが具体的に、通知メッセージに含まれる拡張シーケンス識別子を取得すると共にこの拡張シーケンス識別子に従って拡張シーケンスを決定している、受信するステップ、
をさらに含む。
【００１７】
第１の態様の第７の可能な実装方式に従った第８の可能な実装方式では、当該チャネルがＰＲＡＣＨであり、且つ通知メッセージが、ＰＲＡＣＨの物理リソース・ブロック・オフセット
【００１８】
（外４）
2018023150.tif 000006
及びサブキャリア・オフセット
【００１９】
（外５）
2018023150.tif 000007
をさらに含む。
【００２０】
第１の態様の第７の可能な実装方式に従った第９の可能な実装方式では、当該チャネルがＰＵＳＣＨであり、且つ通知メッセージが、ＰＵＳＣＨのリソース・ブロック指示及びリソース・エレメント・セット指示をさらに含む。
【００２１】
第１の態様の第７から第９の可能な実装方式のうちのいずれか１つに従った第１０の可能な実装方式では、通知メッセージに含まれるチャネルの周波数リソースが、少なくとも１つの繰り返し係数又は少なくとも１つの拡張シーケンス識別子に対応する。
【００２２】
第１の態様の第７から第１０の可能な実装方式のうちのいずれか１つに従った第１１の可能な実装方式では、当該チャネルがＰＲＡＣＨである場合に、通知メッセージが、システム情報ブロック（ＳＩＢ）メッセージ及び／又は下りリンク制御情報（ＤＣＩ）メッセージである。
【００２３】
第１の態様の第１１の可能な実装方式に従った第１２の可能な実装方式では、通知メッセージがＳＩＢメッセージである場合に、ＰＲＡＣＨの周波数リソースの情報又はＰＲＡＣＨの繰り返し係数若しくは拡張シーケンス識別子が、ＳＩＢメッセージの物理ランダム・アクセス・チャネル構成情報ＰＲＡＣＨ−ＣｏｎｆｉｇＩｎｆｏフィールド、又は物理ランダム・アクセス・チャネル・マシン・タイプ通信構成情報ＰＲＡＣＨ−ＣｏｎｆｉｇＩｎｆｏＭＴＣフィールドに配置されている。
【００２４】
第１の態様の第１１の可能な実装方式に従った第１３の可能な実装方式では、通知メッセージがＤＣＩメッセージである場合に、ＰＲＡＣＨの周波数リソースの情報又はＰＲＡＣＨの繰り返し係数若しくは拡張シーケンス識別子がＤＣＩメッセージの拡張フィールドに配置されるか、或いはＰＲＡＣＨの繰り返し係数若しくは拡張シーケンス識別子がＰＲＡＣＨのプリアンブル・インデックスとのジョイント符号化を通じて指示されている。
【００２５】
第１の態様の第７の可能な実装方式に従った第１４の可能な実装方式では、基地局によって送信された通知メッセージを受信するステップが、
ＰＲＡＣＨの一群の周波数リソースの情報又はＰＲＡＣＨの一群の繰り返し係数又は一群の拡張シーケンス識別子を含むＳＩＢメッセージを受信するステップと、
ＰＲＡＣＨの一群の周波数リソースの情報中の１つの周波数リソースの情報又はＰＲＡＣＨの一群の繰り返し係数中の１つの繰り返し係数又は一群の拡張シーケンス識別子中の１つの拡張シーケンス識別子を含むＤＣＩメッセージを受信するステップと、
を含む。
【００２６】
第１の態様の第７から第１０の可能な実装方式のうちのいずれか１つに従った第１５の可能な実装方式では、当該チャネルがＰＵＳＣＨである場合に、通知メッセージがＲＲＣメッセージ又はＤＣＩメッセージである。
【００２７】
第１の態様の第１５の可能な実装方式に従った第１６の可能な実装方式では、通知メッセージがＲＲＣメッセージである場合に、ＰＵＳＣＨの周波数リソースの情報又はＰＵＳＣＨの繰り返し係数若しくは拡張シーケンス識別子が、ＲＲＣメッセージの物理上りリンク共有チャネル構成ＰＵＳＣＨ−Ｃｏｎｆｉｇフィールド又は物理上りリンク共有チャネル専用構成ＰＵＳＣＨ−ＣｏｎｆｉｇＤｅｄｉｃａｔｅｄフィールドに配置されている。
【００２８】
第１の態様の第１５の可能な実装方式に従った第１７の可能な実装方式では、通知メッセージがＤＣＩメッセージである場合に、ＰＵＳＣＨの周波数リソースの情報又はＰＵＳＣＨの繰り返し係数若しくは拡張シーケンス識別子がＤＣＩメッセージの拡張フィールドに配置されるか、或いはＰＵＳＣＨのリソース・エレメント・セット指示又は繰り返し係数若しくは拡張シーケンス識別子がＰＵＳＣＨのリソース・ブロック指示情報とのジョイント符号化を通じて指示されている。
【００２９】
第１の態様の第７の可能な実装方式に従った第１８の可能な実装方式では、基地局によって送信された通知メッセージを受信するステップが、
ＰＵＳＣＨの一群の周波数リソースの情報又はＰＵＳＣＨの繰り返し係数又は拡張シーケンス識別子を含むＲＲＣメッセージを受信するステップと、
ＰＵＳＣＨの一群の周波数リソースの情報中の１つの周波数リソースの情報又はＰＵＳＣＨの一群の繰り返し係数中の１つの繰り返し係数又は一群の拡張シーケンス識別子中の１つの拡張シーケンス識別子を含むＤＣＩメッセージを受信するステップと、
を含む。
【００３０】
第１の態様及び第１の態様の第１から第１８の可能な実装方式のうちのいずれか１つに従った第１９の可能な実装方式では、チャネルの繰り返し係数又は拡張シーケンスを決定するステップが、
基地局によって送信された、チャネルの目標受信電力を含むシステム・メッセージを受信するステップと、
チャネルの最大送信電力、経路損失及び目標受信電力に従って、当該チャネルが繰り返し係数又は拡張シーケンスを使用することによって送信することを要するかどうかを判定するステップと、
諾の場合に、チャネルの繰り返し係数の決定、又は、チャネルの拡張シーケンスの長さの決定及びこの拡張シーケンスの長さに対応する拡張シーケンスの決定を行うステップと、
を含む。
【００３１】
第１の態様の第１９の可能な実装方式に従った第２０の可能な実装方式では、チャネルの繰り返し係数の決定、又は、チャネルの拡張シーケンスの長さの決定及びこの拡張シーケンスの長さに対応する拡張シーケンスの決定を行うステップが、
チャネルの最大送信電力、経路損失及び目標受信電力に従って、チャネルの繰り返し係数の決定、又は、チャネルの拡張シーケンスの長さの決定及びこの拡張シーケンスの長さに対応する拡張シーケンスの決定を行うステップを含む。
【００３２】
第１の態様及び第１の態様の第１から第２０の可能な実装方式のうちのいずれか１つに従った第２１の可能な実装方式では、
当該拡張シーケンスがウォルシュ（Ｗａｌｓｈ）・シーケンスであるか、又は当該拡張シーケンスが疑似ノイズ（ＰＮ）シーケンスから作成されたシーケンスである。
【００３３】
第１の態様の第２１の可能な実装方式に従った第２２の可能な実装方式では、拡張シーケンスがＰＮシーケンスから作成されたシーケンスであることが、
当該拡張シーケンスが、端末が位置しているセルのセル識別子及び／又は無線ネットワーク一時的識別子をＰＮシーケンスの初期化パラメータとして使用することによって作成されたシーケンスであること、或いは
拡張シーケンスが、拡張シーケンス識別子、並びに端末が位置しているセルのセル識別子及び／又はセルの無線ネットワーク一時的識別子をＰＮシーケンスの初期化パラメータとして使用することによって作成されたシーケンスであること、
を含む。
【００３４】
第１の態様並びに第１の態様の第１から第４、第７から第８、第１０から第１４及び第１９から第２２の可能な実装方式のうちのいずれか１つに従った第２３の可能な実装方式では、当該チャネルがＰＲＡＣＨである場合に、繰り返し係数又は拡張シーケンスの長さに従って伝送サブフレームであるような時間領域リソースを決定するステップが、
繰り返し係数又は拡張シーケンスの長さに従うと共にＰＲＡＣＨのフォーマットに従って伝送サブフレーム数Ｎを決定するステップと、
ランダム・アクセス構成インデックス及び伝送サブフレーム数Ｎに従って伝送サブフレームを決定するステップと、
を含む。
【００３５】
第１の態様の第２３の可能な実装方式に従った第２４の可能な実装方式では、ランダム・アクセス構成インデックス及び伝送サブフレーム数Ｎに従って伝送サブフレームを決定するステップが、
ランダム・アクセス構成インデックスに従って無線フレーム内のＰＲＡＣＨの利用可能なサブフレーム番号を決定するステップと、
少なくとも１つの無線フレーム内の利用可能なサブフレーム番号を巡回式に使用すると共に、Ｎ個の対応するサブフレームを伝送サブフレームとして決定すること、又は無線フレーム内にあると共に利用可能なサブフレーム番号のうちの任意の１つに対応するサブフレームを開始サブフレームとして使用し、この開始サブフレームから始まる連続するＮ個のサブフレームを伝送サブフレームとして選択すること、を行うステップと、
を含む。
【００３６】
第１の態様並びに第１の態様の第１から第２、第５から第７、第９から第１０及び第１５から第２２の可能な実装方式のうちのいずれか１つに従った第２５の可能な実装方式では、当該チャネルがＰＵＳＣＨである場合に、繰り返し係数又は拡張シーケンスの長さに従って時間領域リソースを決定するステップが、
繰り返し係数又は拡張シーケンスの長さに従うと共にＰＵＳＣＨのフォーマットに従って伝送サブフレーム数Ｎを決定するステップと、
原初ＰＵＳＣＨの伝送サブフレームを開始サブフレームｍとして使用すると共に、この開始サブフレームｍから始まる連続するＮ個のサブフレームを伝送サブフレームとして選択するステップと、
を含む。
【００３７】
第１の態様並びに第１の態様の第１から第２、第５から第７、第９から第１０、第１５から第２２及び第２５の可能な実装方式のうちのいずれか１つに従った第２６の可能な実装方式では、当該チャネルがＰＵＳＣＨである場合に、チャネルの伝送サブフレームを使用することによって信号を送信するステップが、
サブフレーム番号がｍ１であるサブフレームにおいて、基地局によって送信されたＤＣＩメッセージ又は混成自動反復要求−肯定応答ＨＡＲＱ−ＡＣＫメッセージを受信するステップであって、サブフレームｍ１はサブフレームｐ１＋４の前にあり、且つｐ１は１つのＰＵＳＣＨ伝送中の最終サブフレームのサブフレーム番号である、受信するステップと、
ＤＣＩメッセージ又はＨＡＲＱ−ＡＣＫメッセージによって基地局が目下のＰＵＳＣＨ伝送で信号を首尾よく受信したことが指示された場合に、サブフレームｍ１＋ｋ１（ｋ１は事前設定の整数）において目下の伝送を終了するステップと、
を含む。
【００３８】
第１の態様並びに第１の態様の第１から第４、第７から第８、第１０から第１４及び第１９から第２４の可能な実装方式のうちのいずれか１つに従った第２７の可能な実装方式では、当該チャネルがＰＲＡＣＨである場合に、チャネルの伝送サブフレームを使用することによって信号を送信するステップが、
時間ウィンドウの開始サブフレームのサブフレーム番号ｗ及び時間ウィンドウの長さを決定するステップであって、時間ウィンドウの開始サブフレームｗはサブフレームｐ２＋３の前にあり且つ、ｐ２は１つのＰＲＡＣＨ伝送中の最終サブフレームのサブフレーム番号である、決定するステップと、
時間ウィンドウ内のサブフレーム番号がｍ２であるサブフレームにおいて、基地局によって送信されたランダム・アクセス応答ＲＡＲを受信するステップと、
サブフレームｍ２＋ｋ２（ｋ２は事前設定の整数）において目下の伝送を終了するステップと、
を含む。
【００３９】
第１の態様の第２７の可能な実装方式に従った第２８の可能な実装方式では、時間ウィンドウの開始サブフレームのサブフレーム番号ｗを決定するステップが、
ｔ１及びｔ２が事前設定の整数であり且つｎ２が１つのＰＲＡＣＨ伝送中の開始サブフレームのサブフレーム番号であるとして、ｗ＝ｐ２−ｔ１又はｗ＝ｎ２＋ｔ２であることに従って時間ウィンドウの開始サブフレームｗを決定するステップを含む。
【００４０】
第２の態様によれば本発明の一実施形態は、
チャネルの繰り返し係数又は拡張シーケンスを決定するステップと、
繰り返し係数又は拡張シーケンスの長さに従って伝送サブフレームであるような時間領域リソースを決定するステップと、
チャネルの伝送サブフレームを使用することによって信号を受信するステップと、
を含む信号伝送方法を提供する。
【００４１】
第２の態様の第１の可能な実装方式では、チャネルの繰り返し係数又は拡張シーケンスを決定するステップの前に、本方法は、
チャネルの周波数リソースを決定するステップをさらに含み、ここで
これに対応して、チャネルの伝送サブフレームを使用することによって信号を受信するステップが具体的に、チャネルの周波数リソース及び伝送サブフレームを使用することによって信号を受信している。
【００４２】
第２の態様の第１の可能な実装方式に従った第２の可能な実装方式では、チャネルは、物理ランダム・アクセス・チャネル（ＰＲＡＣＨ）又は物理上りリンク共有チャネル（ＰＵＳＣＨ）である。
【００４３】
第２の態様の第２の可能な実装方式に従った第３の可能な実装方式では、当該チャネルがＰＲＡＣＨである場合に、チャネルの周波数リソースを決定するステップが、
ＰＲＡＣＨの物理リソース・ブロック・オフセット
【００４４】
（外６）
2018023150.tif 000008
及びＰＲＡＣＨに対応するリソース・ブロックの数に従ってＰＲＡＣＨの周波数リソースを決定するステップ、又は
ＰＲＡＣＨの物理リソース・ブロック・オフセット
【００４５】
（外７）
2018023150.tif 000009
、ＰＲＡＣＨに対応するリソース・ブロックの数、及びＰＲＡＣＨのサブキャリア・オフセット
【００４６】
（外８）
2018023150.tif 000010
に従ってＰＲＡＣＨの周波数リソースを決定するステップ、
を含む。
【００４７】
第２の態様の第３の可能な実装方式に従った第４の可能な実装方式では、ＰＲＡＣＨに対応するリソース・ブロックの数は、１、２若しくは３、又はｎ／１２（ｎは１２未満の整数）である。
【００４８】
第２の態様の第２の可能な実装方式に従った第５の可能な実装方式では、当該チャネルがＰＵＳＣＨである場合に、チャネルの周波数リソースを決定するステップが、
ＰＵＳＣＨのリソース・ブロック指示及びリソース・エレメント・セット指示に従ってＰＵＳＣＨの周波数リソースを決定するステップを含む。
【００４９】
第２の態様の第５の可能な実装方式に従った第６の可能な実装方式では、ＰＵＳＣＨのリソース・エレメント・セット指示が、仮想サブキャリアを決定するために使用されている。
【００５０】
第２の態様及び第２の態様の第１から第６の可能な実装方式のうちのいずれか１つに従った第７の可能な実装方式では、チャネルの繰り返し係数又は拡張シーケンスを決定するステップの後で、本方法は、
端末に対して、チャネルの繰り返し係数又は拡張シーケンス識別子を含む通知メッセージを送信し、当該通知メッセージに従ってチャネルの繰り返し係数又は拡張シーケンスを決定するように端末に指令するステップをさらに含む。
【００５１】
第２の態様の第７の可能な実装方式に従った第８の可能な実装方式では、当該チャネルがＰＲＡＣＨであり、且つ通知メッセージは、ＰＲＡＣＨの物理リソース・ブロック・オフセット
【００５２】
（外９）
2018023150.tif 000011
及びＰＲＡＣＨのサブキャリア・オフセット
【００５３】
（外１０）
2018023150.tif 000012
をさらに含み、これにより端末が通知メッセージに従ってＰＲＡＣＨの周波数リソースを決定できるようにしている。
【００５４】
第２の態様の第７の可能な実装方式に従った第９の可能な実装方式では、当該チャネルがＰＵＳＣＨであり、且つ通知メッセージが、ＰＵＳＣＨのリソース・ブロック指示及びリソース・エレメント・セット指示を端末に送信される通知メッセージ内に含まれるようにしてさらに含み、これにより端末が通知メッセージに従ってＰＵＳＣＨの周波数リソースを決定できるようにしている。
【００５５】
第２の態様の第７から第９の可能な実装方式のうちのいずれか１つに従った第１０の可能な実装方式では、通知メッセージに含まれるチャネルの周波数リソースが、少なくとも１つの繰り返し係数又は少なくとも１つの拡張シーケンス識別子に対応する。
【００５６】
第２の態様の第７から第１０の可能な実装方式のうちのいずれか１つに従った第１１の可能な実装方式では、当該チャネルがＰＲＡＣＨである場合に、通知メッセージが、システム情報ブロック（ＳＩＢ）メッセージ及び／又は下りリンク制御情報（ＤＣＩ）メッセージである。
【００５７】
第２の態様の第１１の可能な実装方式に従った第１２の可能な実装方式では、通知メッセージがＳＩＢメッセージである場合に、ＰＲＡＣＨの周波数リソースの情報又はＰＲＡＣＨの繰り返し係数若しくは拡張シーケンス識別子が、ＳＩＢメッセージの物理ランダム・アクセス・チャネル構成情報ＰＲＡＣＨ−ＣｏｎｆｉｇＩｎｆｏフィールド、又は物理ランダム・アクセス・チャネル・マシン・タイプ通信構成情報ＰＲＡＣＨ−ＣｏｎｆｉｇＩｎｆｏＭＴＣフィールドに配置されている。
【００５８】
第２の態様の第１１の可能な実装方式に従った第１３の可能な実装方式では、通知メッセージがＤＣＩメッセージである場合に、ＰＲＡＣＨの周波数リソースの情報又はＰＲＡＣＨの繰り返し係数若しくは拡張シーケンス識別子がＤＣＩメッセージの拡張フィールドに配置されるか、或いはＰＲＡＣＨの繰り返し係数若しくは拡張シーケンス識別子がＰＲＡＣＨのプリアンブル・インデックスとのジョイント符号化を通じて指示されている。
【００５９】
第２の態様の第７の可能な実装方式に従った第１４の可能な実装方式では、端末に通知メッセージを送信するステップが、
端末に対して、ＰＲＡＣＨの一群の周波数リソースの情報又はＰＲＡＣＨの一群の繰り返し係数又は一群の拡張シーケンス識別子を含むＳＩＢメッセージを送信するステップと、
端末に対して、ＰＲＡＣＨの一群の周波数リソースの情報中の１つの周波数リソースの情報又はＰＲＡＣＨの一群の繰り返し係数中の１つの繰り返し係数又は一群の拡張シーケンス識別子中の１つの拡張シーケンス識別子を含むＤＣＩメッセージを送信するステップと、
を含む。
【００６０】
第２の態様の第７から第１０の可能な実装方式のうちのいずれか１つに従った第１５の可能な実装方式では、当該チャネルがＰＵＳＣＨである場合に、通知メッセージがＲＲＣメッセージ又はＤＣＩメッセージである。
【００６１】
第２の態様の第１５の可能な実装方式に従った第１６の可能な実装方式では、通知メッセージがＲＲＣメッセージである場合に、ＰＵＳＣＨの周波数リソースの情報又はＰＵＳＣＨの繰り返し係数若しくは拡張シーケンス識別子が、ＲＲＣメッセージの物理上りリンク共有チャネル構成ＰＵＳＣＨ−Ｃｏｎｆｉｇフィールド又は物理上りリンク共有チャネル専用構成ＰＵＳＣＨ−ＣｏｎｆｉｇＤｅｄｉｃａｔｅｄフィールドに配置されている。
【００６２】
第２の態様の第１６の可能な実装方式に従った第１７の可能な実装方式では、通知メッセージがＤＣＩメッセージである場合に、ＰＵＳＣＨの周波数リソースの情報又はＰＵＳＣＨの繰り返し係数若しくは拡張シーケンス識別子がＤＣＩメッセージの拡張フィールドに配置されるか、或いはＰＵＳＣＨのリソース・エレメント・セット指示又は繰り返し係数若しくは拡張シーケンス識別子が、ＰＵＳＣＨのリソース・ブロック指示情報とのジョイント符号化を通じて指示されている。
【００６３】
第２の態様の第７の可能な実装方式に従った第１８の可能な実装方式では、端末に通知メッセージを送信するステップが、
端末に対して、ＰＵＳＣＨの一群の周波数リソースの情報又はＰＵＳＣＨの一群の繰り返し係数又は一群の拡張シーケンス識別子を含むＲＲＣメッセージを送信するステップと、
端末に対して、ＰＵＳＣＨの一群の周波数リソースの情報中の１つの周波数リソースの情報又はＰＵＳＣＨの一群の繰り返し係数中の１つの繰り返し係数又は一群の拡張シーケンス識別子中の１つの拡張シーケンス識別子を含むＤＣＩメッセージを送信するステップと、
を含む。
【００６４】
第２の態様及び第２の態様の第１から第１８の可能な実装方式のうちのいずれか１つに従った第１９の可能な実装方式では、チャネルの繰り返し係数又は拡張シーケンスを決定するステップの前に、本方法は、
端末に対して、チャネルの目標受信電力を含むシステム・メッセージを送信し、これにより端末がチャネルの最大送信電力、経路損失及び目標受信電力に従って、当該信号がそのチャネルにおいて繰り返し係数又は拡張シーケンスを使用することにより送信することを要するかどうかを判定できるようにするステップをさらに含む。
【００６５】
第２の態様の第１９の可能な実装方式に従った第２０の可能な実装方式では、システム・メッセージが、利用可能な繰り返し係数をさらに含むか、又は利用可能な拡張シーケンスの拡張シーケンス識別子をさらに含んでおり、且つ当該拡張シーケンス及び拡張シーケンス識別子は拡張シーケンスの長さに対応する。
【００６６】
第２の態様及び第２の態様の第１から第２０の可能な実装方式のうちのいずれか１つに従った第２１の可能な実装方式では、チャネルの繰り返し係数又は拡張シーケンスの数量が少なくとも２であり、且つ
繰り返し係数又は拡張シーケンスの長さに従って時間領域リソースを決定するステップが、この少なくとも２つの繰り返し係数に対応する伝送サブフレームを決定するステップ、又は各拡張シーケンスの長さを決定すると共に伝送サブフレームを決定するステップを含み、且つ
チャネルの伝送サブフレームを使用することによって信号を受信するステップが、チャネルの少なくとも２つの繰り返し係数に対応する伝送サブフレームにおいて又は拡張シーケンスの長さに従って決定された伝送サブフレームにおいて信号を受信するステップを含む。
【００６７】
第２の態様及び第２の態様の第１から第２１の可能な実装方式のうちのいずれか１つに従った第２２の可能な実装方式では、
当該拡張シーケンスがウォルシュ（Ｗａｌｓｈ）・シーケンスであるか、又は当該拡張シーケンスが疑似ノイズ（ＰＮ）シーケンスから作成されたシーケンスである。
【００６８】
第２の態様の第２２の可能な実装方式に従った第２３の可能な実装方式では、拡張シーケンスがＰＮシーケンスから作成されたシーケンスであることが、
当該拡張シーケンスが、端末が位置しているセルのセル識別子及び／又は無線ネットワーク一時的識別子をＰＮシーケンスの初期化パラメータとして使用することによって作成されたシーケンスであること、或いは
当該拡張シーケンスが、拡張シーケンス識別子、並びに端末のサービングセルのセル識別子及び／又は無線ネットワーク一時的識別子をＰＮシーケンスの初期化パラメータとして使用することによって作成されたシーケンスであること、
を含む。
【００６９】
第２の態様並びに第２の態様の第１から第４、第７から第８、第１０から第１４及び第１９から第２３の可能な実装方式のうちのいずれか１つに従った第２４の可能な実装方式では、当該チャネルがＰＲＡＣＨである場合に、繰り返し係数又は拡張シーケンスの長さに従って伝送サブフレームであるような時間領域リソースを決定するステップが、
繰り返し係数又は拡張シーケンスの長さに従うと共にＰＲＡＣＨのフォーマットに従って伝送サブフレーム数Ｎを決定するステップと、
ランダム・アクセス構成インデックス及び伝送サブフレーム数Ｎに従って伝送サブフレームを決定するステップと、
を含む。
【００７０】
第２の態様の第２４の可能な実装方式に従った第２５の可能な実装方式では、ランダム・アクセス構成インデックス及び伝送サブフレーム数Ｎに従って伝送サブフレームを決定するステップが、
ランダム・アクセス構成インデックスに従って無線フレーム内のＰＲＡＣＨの利用可能なサブフレーム番号を決定するステップと、
少なくとも１つの無線フレーム内の利用可能なサブフレーム番号を巡回式に使用すると共に、Ｎ個の対応するサブフレームを伝送サブフレームとして決定すること、又は無線フレーム内にあると共に利用可能なサブフレーム番号のうちの任意の１つに対応するサブフレームを開始サブフレームとして使用し、この開始サブフレームから始まる連続するＮ個のサブフレームを伝送サブフレームとして選択すること、を行うステップと、
を含む。
【００７１】
第２の態様並びに第２の態様の第１から第３、第５から第７、第９から第１０及び第１５から第２３の可能な実装方式のうちのいずれか１つに従った第２６の可能な実装方式では、当該チャネルがＰＵＳＣＨである場合に、繰り返し係数又は拡張シーケンスの長さに従って伝送サブフレームであるような時間領域リソースを決定するステップが、
繰り返し係数又は拡張シーケンスの長さに従うと共にＰＵＳＣＨのフォーマットに従って伝送サブフレーム数Ｎを決定するステップと、
原初ＰＵＳＣＨの伝送サブフレームを開始サブフレームとして使用し、この開始サブフレームから始まる連続するＮ個のサブフレームを伝送サブフレームとして選択するステップと、
を含む。
【００７２】
第２の態様並びに第２の態様の第１から第３、第５から第７、第９から第１０、第１５から第２３及び第２６の可能な実装方式のうちのいずれか１つに従った第２７の可能な実装方式では、当該チャネルがＰＵＳＣＨである場合に、伝送サブフレームにおいて信号を受信するステップが、
サブフレーム番号がｍ１であるサブフレームにおいて、端末に対して、基地局が目下のＰＵＳＣＨ伝送で信号を首尾よく受信したことを指示するＤＣＩメッセージ又は混成自動反復要求−肯定応答ＨＡＲＱ−ＡＣＫメッセージを送信するステップであって、サブフレームｍ１はサブフレームｐ１＋４の前にあり、且つｐ１は１つのＰＵＳＣＨ伝送中の最終サブフレームのサブフレーム番号である、送信するステップと、
サブフレームｍがサブフレームｐ＋４の前にあり且つｋ１が事前設定の整数であるとしてサブフレームｍ１＋ｋ１において、目下の伝送での信号の受信を停止するステップと、
を含む。
【００７３】
第２の態様並びに第２の態様の第１から第４、第７から第８、第１０から第１４及び第１９から第２５の可能な実装方式のうちのいずれか１つに従った第２８の可能な実装方式では、当該チャネルがＰＲＡＣＨである場合に、伝送サブフレームにおいて信号を受信するステップが、
時間ウィンドウの開始サブフレームのサブフレーム番号ｗ及び時間ウィンドウの長さを決定するステップであって、時間ウィンドウの開始サブフレームｗはサブフレームｐ２＋３の前にあり、且つｐ２は１つのＰＲＡＣＨ伝送中の最終サブフレームのサブフレーム番号である、決定するステップと、
時間ウィンドウ内のサブフレーム番号がｍ２であるサブフレームにおいて、端末にランダム・アクセス応答ＲＡＲを送信するステップと、
ｋ２が事前設定の整数であるとしてサブフレームｍ２＋ｋ２において、目下の伝送での信号の受信を停止するステップと、
を含む。
【００７４】
第２の態様の第２８の可能な実装方式に従った第２９の可能な実装方式では、時間ウィンドウの開始サブフレームのサブフレーム番号ｗを決定するステップが、
ｔ１及びｔ２が事前設定の整数であり且つｎ２が１つのＰＲＡＣＨ伝送中の開始サブフレームのサブフレーム番号であるとしてｗ＝ｐ−ｔ１又はｗ＝ｎ＋ｔ２であることに従って時間ウィンドウの開始サブフレームｗを決定するステップを含む。
【００７５】
第３の態様によれば本発明の一実施形態は、
チャネルの繰り返し係数又は拡張シーケンスを決定するように構成された繰り返し係数又は拡張シーケンスを決定するためのモジュールと、
繰り返し係数又は拡張シーケンスの長さに従って伝送サブフレームであるような時間領域リソースを決定するように構成された伝送サブフレーム決定モジュールと、
チャネルの伝送サブフレームを使用することによって信号を送信するように構成された送信モジュールと、
を含む信号伝送装置を提供する。
【００７６】
第３の態様の第１の可能な実装方式では、本装置は、
チャネルの周波数リソースを決定するように構成された周波数リソース決定モジュールをさらに含んでおり、ここで
これに対応して、送信モジュールは、チャネルの周波数リソース及び伝送サブフレームを使用することによって信号を送信するように具体的に構成されている。
【００７７】
第３の態様の第２の可能な実装方式では、チャネルは、物理ランダム・アクセス・チャネル（ＰＲＡＣＨ）又は物理上りリンク共有チャネル（ＰＵＳＣＨ）である。
【００７８】
第３の態様の第２の可能な実装方式に従った第３の可能な実装方式では、当該チャネルがＰＲＡＣＨである場合に、周波数リソース決定モジュールは具体的に、
ＰＲＡＣＨの物理リソース・ブロック・オフセット
【００７９】
（外１１）
2018023150.tif 000013
及びＰＲＡＣＨに対応するリソース・ブロックの数に従ってＰＲＡＣＨの周波数リソースを決定するように構成されるか、或いは
ＰＲＡＣＨの物理リソース・ブロック・オフセット
【００８０】
（外１２）
2018023150.tif 000014
、ＰＲＡＣＨに対応するリソース・ブロックの数、及びＰＲＡＣＨのサブキャリア・オフセット
【００８１】
（外１３）
2018023150.tif 000015
に従ってＰＲＡＣＨの周波数リソースを決定するように構成されている。
【００８２】
第３の態様の第３の可能な実装方式に従った第４の可能な実装方式では、ＰＲＡＣＨに対応するリソース・ブロックの数は、１、２若しくは３、又はｎ／１２（ｎは１２未満の整数）である。
【００８３】
第３の態様の第２の可能な実装方式に従った第５の可能な実装方式では、当該チャネルがＰＵＳＣＨである場合に、周波数リソース決定モジュールは、
ＰＵＳＣＨのリソース・ブロック指示及びリソース・エレメント・セット指示に従ってＰＵＳＣＨの周波数リソースを決定するように具体的に構成されている。
【００８４】
第３の態様の第５の可能な実装方式に従った第６の可能な実装方式では、ＰＵＳＣＨのリソース・エレメント・セット指示が、仮想サブキャリアを決定するために使用されている。
【００８５】
第３の態様及び第３の態様の第１から第６の可能な実装方式のうちのいずれか１つに従った第７の可能な実装方式では、本装置は、
基地局によって送信された、チャネルの繰り返し係数を含む通知メッセージを受信するように構成された通知メッセージ受信モジュールをさらに備えると共に、繰り返し係数又は拡張シーケンスを決定するためのモジュールが、通知メッセージに含まれるチャネルの繰り返し係数を取得して繰り返し係数を決定するように具体的に構成されているか、或いは
基地局によって送信された、拡張シーケンス識別子を含む通知メッセージを受信するように構成された通知メッセージ受信モジュールをさらに備えると共に、繰り返し係数又は拡張シーケンスを決定するためのモジュールが、拡張シーケンス識別子に従って拡張シーケンスを決定するように具体的に構成されている。
【００８６】
第３の態様の第７の可能な実装方式に従った第８の可能な実装方式では、当該チャネルがＰＲＡＣＨであり、且つ通知メッセージが、ＰＲＡＣＨの物理リソース・ブロック・オフセット
【００８７】
（外１４）
2018023150.tif 000016
及びサブキャリア・オフセット
【００８８】
（外１５）
2018023150.tif 000017
をさらに含む。
【００８９】
第３の態様の第７の可能な実装方式に従った第９の可能な実装方式では、当該チャネルがＰＵＳＣＨであり、且つ通知メッセージが、ＰＵＳＣＨのリソース・ブロック指示及びリソース・エレメント・セット指示をさらに含む。
【００９０】
第３の態様の第７から第９の可能な実装方式のうちのいずれか１つに従った第１０の可能な実装方式では、通知メッセージに含まれるチャネルの周波数リソースが、少なくとも１つの繰り返し係数又は少なくとも１つの拡張シーケンス識別子に対応する。
【００９１】
第３の態様の第７から第１０の可能な実装方式のうちのいずれか１つに従った第１１の可能な実装方式では、当該チャネルがＰＲＡＣＨである場合に、通知メッセージが、システム情報ブロック（ＳＩＢ）メッセージ及び／又は下りリンク制御情報（ＤＣＩ）メッセージである。
【００９２】
第３の態様の第１１の可能な実装方式に従った第１２の可能な実装方式では、通知メッセージがＳＩＢメッセージである場合に、ＰＲＡＣＨの周波数リソースの情報又はＰＲＡＣＨの繰り返し係数若しくは拡張シーケンス識別子が、ＳＩＢメッセージの物理ランダム・アクセス・チャネル構成情報ＰＲＡＣＨ−ＣｏｎｆｉｇＩｎｆｏフィールド、又は物理ランダム・アクセス・チャネル・マシン・タイプ通信構成情報ＰＲＡＣＨ−ＣｏｎｆｉｇＩｎｆｏＭＴＣフィールドに配置されている。
【００９３】
第３の態様の第１１の可能な実装方式に従った第１３の可能な実装方式では、通知メッセージがＤＣＩメッセージである場合に、ＰＲＡＣＨの周波数リソースの情報又はＰＲＡＣＨの繰り返し係数若しくは拡張シーケンス識別子がＤＣＩメッセージの拡張フィールドに配置されるか、或いはＰＲＡＣＨの繰り返し係数若しくは拡張シーケンス識別子がＰＲＡＣＨのプリアンブル・インデックスとのジョイント符号化を通じて指示されている。
【００９４】
第３の態様の第７の可能な実装方式に従った第１４の可能な実装方式では、通知メッセージ受信モジュールが、
ＰＲＡＣＨの一群の周波数リソースの情報又はＰＲＡＣＨの一群の繰り返し係数又は一群の拡張シーケンス識別子を含むＳＩＢメッセージを受信するように構成されたＳＩＢ受信ユニットと、
ＰＲＡＣＨの一群の周波数リソースの情報中の１つの周波数リソースの情報又はＰＲＡＣＨの一群の繰り返し係数中の１つの繰り返し係数又は一群の拡張シーケンス識別子中の１つの拡張シーケンス識別子を含むＤＣＩメッセージを受信するように構成されたＤＣＩ受信ユニットと、
を含む。
【００９５】
第３の態様の第７から第１０の可能な実装方式のうちのいずれか１つに従った第１５の可能な実装方式では、当該チャネルがＰＵＳＣＨである場合に、通知メッセージがＲＲＣメッセージ又はＤＣＩメッセージである。
【００９６】
第３の態様の第１５の可能な実装方式に従った第１６の可能な実装方式では、通知メッセージがＲＲＣメッセージである場合に、ＰＵＳＣＨの周波数リソースの情報又はＰＵＳＣＨの繰り返し係数若しくは拡張シーケンス識別子が、ＲＲＣメッセージの物理上りリンク共有チャネル構成ＰＵＳＣＨ−Ｃｏｎｆｉｇフィールド又は物理上りリンク共有チャネル専用構成ＰＵＳＣＨ−ＣｏｎｆｉｇＤｅｄｉｃａｔｅｄフィールドに配置されている。
【００９７】
第３の態様の第１５の可能な実装方式に従った第１７の可能な実装方式では、通知メッセージがＤＣＩメッセージである場合に、ＰＵＳＣＨの周波数リソースの情報又はＰＵＳＣＨの繰り返し係数若しくは拡張シーケンス識別子がＤＣＩメッセージの拡張フィールドに配置されるか、或いはＰＵＳＣＨのリソース・エレメント・セット指示又は繰り返し係数若しくは拡張シーケンス識別子が、ＰＵＳＣＨのリソース・ブロック指示情報とのジョイント符号化を通じて指示されている。
【００９８】
第３の態様の第７の可能な実装方式に従った第１８の可能な実装方式では、通知メッセージ受信モジュールが、
ＰＵＳＣＨの一群の周波数リソースの情報又はＰＵＳＣＨの繰り返し係数又は拡張シーケンス識別子を含むＲＲＣメッセージを受信するように構成されたＲＲＣ受信ユニットと、
ＰＵＳＣＨの一群の周波数リソースの情報中の１つの周波数リソースの情報又はＰＵＳＣＨの一群の繰り返し係数中の１つの繰り返し係数又は一群の拡張シーケンス識別子中の１つの拡張シーケンス識別子を含むＤＣＩメッセージを受信するように構成されたＤＣＩ受信ユニットと、
を含む。
【００９９】
第３の態様及び第３の態様の第１から第１８の可能な実装方式のうちのいずれか１つに従った第１９の可能な実装方式では、繰り返し係数又は拡張シーケンスを決定するためのモジュールが、
基地局によって送信された、チャネルの目標受信電力を含むシステム・メッセージを受信するように構成された目標電力取得ユニットと、
チャネルの最大送信電力、経路損失及び目標受信電力に従って、当該チャネルが繰り返し係数又は拡張シーケンスを使用することによって送信することを要するかどうかを判定するように構成された判断ユニットと、
諾の場合に、チャネルの繰り返し係数の決定、又は、チャネルの拡張シーケンスの長さの決定及びこの拡張シーケンスの長さに対応する拡張シーケンスの決定を行うように構成された決定ユニットと、
を含む。
【０１００】
第３の態様の第１９の可能な実装方式に従った第２０の可能な実装方式では、決定ユニットが、
チャネルの最大送信電力、経路損失及び目標受信電力に従って、チャネルの繰り返し係数の決定、又は、チャネルの拡張シーケンスの長さの決定及びこの拡張シーケンスの長さに対応する拡張シーケンスの決定を行うように具体的に構成されている。
【０１０１】
第３の態様及び第３の態様の第１から第２０の可能な実装方式のうちのいずれか１つに従った第２１の可能な実装方式では、当該拡張シーケンスがウォルシュ（Ｗａｌｓｈ）・シーケンスであるか、又は当該拡張シーケンスが疑似ノイズ（ＰＮ）シーケンスから作成されたシーケンスである。
【０１０２】
第３の態様の第２１の可能な実装方式に従った第２２の可能な実装方式では、拡張シーケンスがＰＮシーケンスから作成されたシーケンスであることが、
当該拡張シーケンスが、端末が位置しているセルのセル識別子及び／又は無線ネットワーク一時的識別子をＰＮシーケンスの初期化パラメータとして使用することによって作成されたシーケンスであること、或いは
拡張シーケンスが、拡張シーケンス識別子、並びに端末が位置しているセルのセル識別子及び／又はセルの無線ネットワーク一時的識別子をＰＮシーケンスの初期化パラメータとして使用することによって作成されたシーケンスであること、
を含む。
【０１０３】
第３の態様並びに第３の態様の第１から第４、第７から第８、第１０から第１４及び第１９から第２２の可能な実装方式のうちのいずれか１つに従った第２３の可能な実装方式では、伝送サブフレーム決定モジュールが伝送サブフレーム数決定ユニット及び伝送サブフレーム決定ユニットを含むと共に、当該チャネルがＰＲＡＣＨである場合に、
伝送サブフレーム数決定ユニットは、繰り返し係数又は拡張シーケンスの長さに従うと共にＰＲＡＣＨのフォーマットに従って時間領域リソースの数Ｎを決定するように構成されており、且つ
伝送サブフレーム決定ユニットは、ランダム・アクセス構成インデックス及び伝送サブフレーム数Ｎに従って伝送サブフレームを決定するように構成されている。
【０１０４】
第３の態様の第２３の可能な実装方式に従った第２４の可能な実装方式では、伝送サブフレーム決定ユニットは、
ランダム・アクセス構成インデックスに従って無線フレーム内のＰＲＡＣＨの利用可能なサブフレーム番号を決定するように、且つ
少なくとも１つの無線フレーム内の利用可能なサブフレーム番号を巡回式に使用すると共に、Ｎ個の対応するサブフレームを伝送サブフレームとして決定すること、又は無線フレーム内にあると共に利用可能なサブフレーム番号のうちの任意の１つに対応するサブフレームを開始サブフレームとして使用し、この開始サブフレームから始まる連続するＮ個のサブフレームを伝送サブフレームとして選択すること、を行うように、
具体的に構成されている。
【０１０５】
第３の態様並びに第３の態様の第１から第２、第５から第７、第９から第１０及び第１５から第２２の可能な実装方式のうちのいずれか１つに従った第２５の可能な実装方式では、当該チャネルがＰＵＳＣＨである場合に、
伝送サブフレーム数決定ユニットは、繰り返し係数又は拡張シーケンスの長さに従うと共にＰＵＳＣＨのフォーマットに従って伝送サブフレーム数Ｎを決定するように構成されており、且つ
伝送サブフレーム決定ユニットは、原初ＰＵＳＣＨの伝送サブフレームを開始サブフレームｍとして使用すると共に、この開始サブフレームｍから始まる連続するＮ個のサブフレームを伝送サブフレームとして選択するように構成されている。
【０１０６】
第３の態様並びに第３の態様の第１から第２、第５から第７、第９から第１０、第１５から第２２及び第２５の可能な実装方式のうちのいずれか１つに従った第２６の可能な実装方式では、当該チャネルがＰＵＳＣＨである場合に、送信モジュールは、
サブフレーム番号がｍ１であるサブフレームにおいて、基地局によって送信されたＤＣＩメッセージ又は混成自動反復要求−肯定応答ＨＡＲＱ−ＡＣＫメッセージを受信するように構成されたＨＡＲＱ−ＡＣＫメッセージ受信ユニットであって、サブフレームｍ１はサブフレームｐ１＋４の前にあり、且つｐ１は１つのＰＵＳＣＨ伝送中の最終サブフレームのサブフレーム番号である、ＨＡＲＱ−ＡＣＫメッセージ受信ユニットと、
ＤＣＩメッセージ又はＨＡＲＱ−ＡＣＫメッセージによって基地局が目下のＰＵＳＣＨ伝送で信号を首尾よく受信したことが指示された場合に、サブフレームｍ１＋ｋ１（ｋ１は事前設定の整数）において目下の伝送を終了するように構成された第１の終了ユニットと、
を含む。
【０１０７】
第３の態様並びに第３の態様の第１から第４、第７から第８、第１０から第１４、第１９及び第２４の可能な実装方式のうちのいずれか１つに従った第２７の可能な実装方式では、当該チャネルがＰＲＡＣＨである場合に、送信モジュールは、
時間ウィンドウの開始サブフレームのサブフレーム番号ｗ及び時間ウィンドウの長さを決定するように構成された時間ウィンドウ決定ユニットであって、時間ウィンドウの開始サブフレームｗはサブフレームｐ２＋３の前にあり、且つｐ２は１つのＰＲＡＣＨ伝送中の最終サブフレームのサブフレーム番号である、時間ウィンドウ決定ユニットと、
時間ウィンドウ内のサブフレーム番号がｍ２であるサブフレームにおいて、基地局によって送信されたランダム・アクセス応答ＲＡＲを受信するように構成されたＲＡＲ受信ユニットと、
サブフレームｍ２＋ｋ２（ｋ２は事前設定の整数）において目下の伝送を終了するように構成された第２の終了ユニットと、
を含む。
【０１０８】
第３の態様の第２７の可能な実装方式に従った第２８の可能な実装方式では、時間ウィンドウ決定ユニットは、
ｔ１及びｔ２が事前設定の整数であり且つｎ２が１つのＰＲＡＣＨ伝送中の開始サブフレームのサブフレーム番号であるとしてｗ＝ｐ２−ｔ１又はｗ＝ｎ２＋ｔ２であることに従って時間ウィンドウの開始サブフレームｗを決定するように具体的に構成された時間ウィンドウの開始サブフレームを決定するためのサブユニットを含む。
【０１０９】
第４の態様によれば本発明の一実施形態は、
チャネルの繰り返し係数又は拡張シーケンスを決定するように構成された繰り返し係数又は拡張シーケンスを決定するためのモジュールと、
繰り返し係数又は拡張シーケンスの長さに従って伝送サブフレームであるような時間領域リソースを決定するように構成された伝送サブフレーム決定モジュールと、
チャネルの伝送サブフレームを使用することによって信号を受信するように構成された受信モジュールと、
を含む信号伝送装置を提供する。
【０１１０】
第４の態様の第１の可能な実装方式では、本装置は、
チャネルの周波数リソースを決定するように構成された周波数リソース決定モジュールをさらに含んでおり、ここで
これに対応して、受信モジュールは、チャネルの周波数リソース及び伝送サブフレームを使用することによって信号を受信するように具体的に構成されている。
【０１１１】
第４の態様の第１の可能な実装方式に従った第２の可能な実装方式では、チャネルが、物理ランダム・アクセス・チャネル（ＰＲＡＣＨ）又は物理上りリンク共有チャネル（ＰＵＳＣＨ）である。
【０１１２】
第４の態様の第２の可能な実装方式に従った第３の可能な実装方式では、当該チャネルがＰＲＡＣＨである場合に、周波数リソース決定モジュールは、
ＰＲＡＣＨの物理リソース・ブロック・オフセット
【０１１３】
（外１６）
2018023150.tif 000018
及びＰＲＡＣＨに対応するリソース・ブロックの数に従ってＰＲＡＣＨの周波数リソースを決定するように、又は
ＰＲＡＣＨの物理リソース・ブロック・オフセット
【０１１４】
（外１７）
2018023150.tif 000019
、ＰＲＡＣＨに対応するリソース・ブロックの数、及びＰＲＡＣＨのサブキャリア・オフセット
【０１１５】
（外１８）
2018023150.tif 000020
に従ってＰＲＡＣＨの周波数リソースを決定するように、
具体的に構成されている。
【０１１６】
第４の態様の第３の可能な実装方式に従った第４の可能な実装方式では、ＰＲＡＣＨに対応するリソース・ブロックの数は、１、２若しくは３、又はｎ／１２（ｎは１２未満の整数）である。
【０１１７】
第４の態様の第２の可能な実装方式に従った第５の可能な実装方式では、当該チャネルがＰＵＳＣＨである場合に、周波数リソース決定モジュールは、
ＰＵＳＣＨのリソース・ブロック指示及びリソース・エレメント・セット指示に従ってＰＵＳＣＨの周波数リソースを決定するように具体的に構成されている。
【０１１８】
第４の態様の第５の可能な実装方式に従った第６の可能な実装方式では、ＰＵＳＣＨのリソース・エレメント・セット指示が、仮想サブキャリアを決定するために使用されている。
【０１１９】
第４の態様及び第４の態様の第１から第６の可能な実装方式のうちのいずれか１つに従った第７の可能な実装方式では、本装置は、
端末に対して、チャネルの繰り返し係数又は拡張シーケンス識別子を含む通知メッセージを送信し、これにより当該通知メッセージに従ってチャネルの繰り返し係数又は拡張シーケンスを決定するように端末に指令するように構成された通知メッセージ送信モジュールをさらに含む。
【０１２０】
第４の態様の第７の可能な実装方式に従った第８の可能な実装方式では、当該チャネルがＰＲＡＣＨであり、且つ通知メッセージが、ＰＲＡＣＨの物理リソース・ブロック・オフセット
【０１２１】
（外１９）
2018023150.tif 000021
及びＰＲＡＣＨのサブキャリア・オフセット
【０１２２】
（外２０）
2018023150.tif 000022
をさらに含み、これにより端末が通知メッセージに従ってＰＲＡＣＨの周波数リソースを決定できるようにしている。
【０１２３】
第４の態様の第７の可能な実装方式に従った第９の可能な実装方式では、当該チャネルがＰＵＳＣＨであり、且つ通知メッセージが、ＰＵＳＣＨのリソース・ブロック指示及びリソース・エレメント・セット指示を端末に送信される通知メッセージ内に含まれるようにしてさらに含み、これにより端末が通知メッセージに従ってＰＵＳＣＨの周波数リソースを決定できるようにしている。
【０１２４】
第４の態様の第７から第９の可能な実装方式のうちのいずれか１つに従った第１０の可能な実装方式では、通知メッセージに含まれるチャネルの周波数リソースが、少なくとも１つの繰り返し係数又は少なくとも１つの拡張シーケンス識別子に対応する。
【０１２５】
第４の態様の第７から第１０の可能な実装方式のうちのいずれか１つに従った第１１の可能な実装方式では、当該チャネルがＰＲＡＣＨである場合に、通知メッセージが、システム情報ブロック（ＳＩＢ）メッセージ及び／又は下りリンク制御情報（ＤＣＩ）メッセージである。
【０１２６】
第４の態様の第１１の可能な実装方式に従った第１２の可能な実装方式では、通知メッセージがＳＩＢメッセージである場合に、ＰＲＡＣＨの周波数リソースの情報又はＰＲＡＣＨの繰り返し係数若しくは拡張シーケンス識別子が、ＳＩＢメッセージの物理ランダム・アクセス・チャネル構成情報ＰＲＡＣＨ−ＣｏｎｆｉｇＩｎｆｏフィールド、又は物理ランダム・アクセス・チャネル・マシン・タイプ通信構成情報ＰＲＡＣＨ−ＣｏｎｆｉｇＩｎｆｏＭＴＣフィールドに配置されている。
【０１２７】
第４の態様の第１１の可能な実装方式に従った第１３の可能な実装方式では、通知メッセージがＤＣＩメッセージである場合に、ＰＲＡＣＨの周波数リソースの情報又はＰＲＡＣＨの繰り返し係数若しくは拡張シーケンス識別子がＤＣＩメッセージの拡張フィールドに配置されるか、或いはＰＲＡＣＨの繰り返し係数若しくは拡張シーケンス識別子がＰＲＡＣＨのプリアンブル・インデックスとのジョイント符号化を通じて指示されている。
【０１２８】
第４の態様の第７の可能な実装方式に従った第１４の可能な実装方式では、通知メッセージ送信モジュールが、
端末に対して、ＰＲＡＣＨの一群の周波数リソースの情報又はＰＲＡＣＨの一群の繰り返し係数又は一群の拡張シーケンス識別子を含むＳＩＢメッセージを送信するように構成されたＳＩＢ送信ユニットと、
端末に対して、ＰＲＡＣＨの一群の周波数リソースの情報中の１つの周波数リソースの情報又はＰＲＡＣＨの一群の繰り返し係数中の１つの繰り返し係数又は一群の拡張シーケンス識別子中の１つの拡張シーケンス識別子を含むＤＣＩメッセージを送信するように構成されたＤＣＩ送信ユニットと、
を含む。
【０１２９】
第４の態様の第７から第１０の可能な実装方式のうちのいずれか１つに従った第１５の可能な実装方式では、当該チャネルがＰＵＳＣＨである場合に、通知メッセージがＲＲＣメッセージ又はＤＣＩメッセージである。
【０１３０】
第４の態様の第１５の可能な実装方式に従った第１６の可能な実装方式では、通知メッセージがＲＲＣメッセージである場合に、ＰＵＳＣＨの周波数リソースの情報又はＰＵＳＣＨの繰り返し係数若しくは拡張シーケンス識別子が、ＲＲＣメッセージの物理上りリンク共有チャネル構成ＰＵＳＣＨ−Ｃｏｎｆｉｇフィールド又は物理上りリンク共有チャネル専用構成ＰＵＳＣＨ−ＣｏｎｆｉｇＤｅｄｉｃａｔｅｄフィールドに配置されている。
【０１３１】
第４の態様の第１６の可能な実装方式に従った第１７の可能な実装方式では、通知メッセージがＤＣＩメッセージである場合に、ＰＵＳＣＨの周波数リソースの情報又はＰＵＳＣＨの繰り返し係数若しくは拡張シーケンス識別子がＤＣＩメッセージの拡張フィールドに配置されるか、或いはＰＵＳＣＨのリソース・エレメント・セット指示又は繰り返し係数若しくは拡張シーケンス識別子が、ＰＵＳＣＨのリソース・ブロック指示情報とのジョイント符号化を通じて指示されている。
【０１３２】
第４の態様の第７の可能な実装方式に従った第１８の可能な実装方式では、通知メッセージ送信モジュールが、
端末に対して、ＰＵＳＣＨの一群の周波数リソースの情報又はＰＵＳＣＨの一群の繰り返し係数又は一群の拡張シーケンス識別子を含むＲＲＣメッセージを送信するように構成されたＲＲＣ送信ユニットと、
端末に対して、ＰＵＳＣＨの一群の周波数リソースの情報中の１つの周波数リソースの情報又はＰＵＳＣＨの一群の繰り返し係数中の１つの繰り返し係数又は一群の拡張シーケンス識別子中の１つの拡張シーケンス識別子を含むＤＣＩメッセージを送信するように構成されたＤＣＩ送信ユニットと、
を含む。
【０１３３】
第４の態様及び第４の態様の第１から第１８の可能な実装方式のうちのいずれか１つに従った第１９の可能な実装方式では、本装置は、
端末に対して、チャネルの目標受信電力を含むシステム・メッセージを送信し、これにより端末がチャネルの最大送信電力、経路損失及び目標受信電力に従って、当該信号がそのチャネルにおいて繰り返し係数又は拡張シーケンスを使用することにより送信することを要するかどうかを判定できるように構成された目標電力送信モジュールをさらに含む。
【０１３４】
第４の態様の第１９の可能な実装方式に従った第２０の可能な実装方式では、システム・メッセージが利用可能な繰り返し係数をさらに含むか、又は利用可能な拡張シーケンスの拡張シーケンス識別子をさらに含むと共に、当該拡張シーケンス及び拡張シーケンス識別子は拡張シーケンスの長さに対応する。
【０１３５】
第４の態様及び第４の態様の第１から第２０の可能な実装方式のうちのいずれか１つに従った第２１の可能な実装方式では、チャネルの繰り返し係数又は拡張シーケンスの数量が少なくとも２であり、且つ
伝送サブフレーム決定モジュールは、この少なくとも２つの繰り返し係数に対応する伝送サブフレームを決定するか、又は各拡張シーケンスの長さを決定すると共に伝送サブフレームを決定するように具体的に構成されており、且つ
受信モジュールは、チャネルの少なくとも２つの繰り返し係数に対応する伝送サブフレームにおいて又は拡張シーケンスの長さに従って決定された伝送サブフレームにおいて信号を受信するように具体的に構成されている。
【０１３６】
第４の態様及び第４の態様の第１から第２１の可能な実装方式のうちのいずれか１つに従った第２２の可能な実装方式では、
当該拡張シーケンスがウォルシュ（Ｗａｌｓｈ）・シーケンスであるか、又は当該拡張シーケンスが疑似ノイズ（ＰＮ）シーケンスから作成されたシーケンスである。
【０１３７】
第４の態様の第２２の可能な実装方式に従った第２３の可能な実装方式では、拡張シーケンスがＰＮシーケンスから作成されたシーケンスであることが、
当該拡張シーケンスが、端末が位置しているセルのセル識別子及び／又は無線ネットワーク一時的識別子をＰＮシーケンスの初期化パラメータとして使用することによって作成されたシーケンスであること、或いは
当該拡張シーケンスが、拡張シーケンス識別子、並びに端末のサービングセルのセル識別子及び／又は無線ネットワーク一時的識別子をＰＮシーケンスの初期化パラメータとして使用することによって作成されたシーケンスであること、
を含む。
【０１３８】
第４の態様並びに第４の態様の第１から第４、第７から第８、第１０から第１４及び第１９から第２３の可能な実装方式のうちのいずれか１つに従った第２４の可能な実装方式では、伝送サブフレーム決定モジュールが伝送サブフレーム数決定ユニット及び伝送サブフレーム決定ユニットを含むと共に、当該チャネルがＰＲＡＣＨである場合に、
伝送サブフレーム数決定ユニットは、繰り返し係数又は拡張シーケンスの長さに従うと共にＰＲＡＣＨのフォーマットに従って伝送サブフレーム数Ｎを決定するように構成されており、且つ
伝送サブフレーム決定ユニットは、ランダム・アクセス構成インデックス及び伝送サブフレーム数Ｎに従って伝送サブフレームを決定するように構成されている。
【０１３９】
第４の態様の第２４の可能な実装方式に従った第２５の可能な実装方式では、伝送サブフレーム決定ユニットが、
ランダム・アクセス構成インデックスに従って無線フレーム内のＰＲＡＣＨの利用可能なサブフレーム番号を決定するように、且つ
少なくとも１つの無線フレーム内の利用可能なサブフレーム番号を巡回式に使用すると共に、Ｎ個の対応するサブフレームを伝送サブフレームとして決定すること、又は無線フレーム内にあると共に利用可能なサブフレーム番号のうちの任意の１つに対応するサブフレームを開始サブフレームとして使用し、この開始サブフレームから始まる連続するＮ個のサブフレームを伝送サブフレームとして選択すること、を行うように、
具体的に構成されている。
【０１４０】
第４の態様並びに第４の態様の第１から第３、第５から第７、第９から第１０及び第１５から第２３の可能な実装方式のうちのいずれか１つに従った第２６の可能な実装方式では、当該チャネルがＰＵＳＣＨである場合に、
伝送サブフレーム数決定ユニットは、繰り返し係数又は拡張シーケンスの長さに従うと共にＰＵＳＣＨのフォーマットに従って伝送サブフレーム数Ｎを決定するように構成されており、且つ
伝送サブフレーム決定ユニットは、原初ＰＵＳＣＨの伝送サブフレームを開始サブフレームとして使用し、この開始サブフレームから始まる連続するＮ個のサブフレームを伝送サブフレームとして選択するように構成されている。
【０１４１】
第４の態様並びに第４の態様の第１から第３、第５から第７、第９から第１０、第１５から第２３及び第２６の可能な実装方式のうちのいずれか１つに従った第２７の可能な実装方式では、当該チャネルがＰＵＳＣＨである場合に、受信モジュールが、
サブフレーム番号がｍ１であるサブフレームにおいて、端末に対して、基地局が目下のＰＵＳＣＨ伝送で信号を首尾よく受信したことを指示するＤＣＩメッセージ又は混成自動反復要求−肯定応答ＨＡＲＱ−ＡＣＫメッセージを送信するように構成されたＨＡＲＱ−ＡＣＫメッセージ送信ユニットであって、サブフレームｍ１はサブフレームｐ１＋４の前にあり、且つｐ１は１つのＰＵＳＣＨ伝送中の最終サブフレームのサブフレーム番号であるＨＡＲＱ−ＡＣＫメッセージ送信ユニットと、
サブフレームｍがサブフレームｐ＋４の前にあり且つｋ１が事前設定の整数であるとしてサブフレームｍ１＋ｋ１において、目下の伝送での信号の受信を停止するように構成された第１の終了ユニットと、
を含む。
【０１４２】
第４の態様並びに第４の態様の第１から第４、第７から第８、第１０から第１４及び第１９から第２５の可能な実装方式のうちのいずれか１つに従った第２８の可能な実装方式では、当該チャネルがＰＲＡＣＨである場合に、受信モジュールが、
時間ウィンドウの開始サブフレームのサブフレーム番号ｗ及び時間ウィンドウの長さを決定するように構成された時間ウィンドウ決定ユニットであって、時間ウィンドウの開始サブフレームｗはサブフレームｐ２＋３の前にあり、且つｐ２は１つのＰＲＡＣＨ伝送中の最終サブフレームのサブフレーム番号である、時間ウィンドウ決定ユニットと、
時間ウィンドウ内のサブフレーム番号がｍ２であるサブフレームにおいて端末にランダム・アクセス応答ＲＡＲを送信するように構成されたＲＡＲ送信ユニットと、
サブフレームｍ２＋ｋ２（ｋ２は事前設定の整数）において目下の伝送での信号の受信を停止するように構成された第２の終了ユニットと、
を含む。
【０１４３】
第４の態様の第２８の可能な実装方式に従った第２９の可能な実装方式では、時間ウィンドウ決定ユニットが、
ｔ１及びｔ２が事前設定の整数であり且つｎ２が１つのＰＲＡＣＨ伝送中の開始サブフレームのサブフレーム番号であるとしてｗ＝ｐ−ｔ１又はｗ＝ｎ＋ｔ２であることに従って時間ウィンドウの開始サブフレームｗを決定するように具体的に構成された時間ウィンドウの開始サブフレームを決定するためのサブユニットを含む。
【０１４４】
第５の態様によれば本発明の一実施形態は、少なくとも１つの端末と１つの基地局とを含む通信システムであって、この端末は、本発明の端末上に組み込み可能な信号伝送装置の実施形態のうちの任意の１つに従った信号伝送装置を含み、且つこの基地局は、本発明の基地局上に組み込み可能な信号伝送装置の実施形態のうちの任意の１つに従った信号伝送装置を含む、通信システムを提供する。
【０１４５】
第６の態様によれば本発明の一実施形態は、受信機、送信機、メモリ及びプロセッサを含む端末であって、
このメモリは、命令を記憶するように構成されており、
このプロセッサはメモリと結合されており、このプロセッサはメモリに記憶された命令を実行するように構成されており、またこのプロセッサは本発明の方法実施形態のうちの任意の１つにおいて対応する端末によって実行される信号伝送方法を実行するように構成されている、端末を提供する。
【０１４６】
第７の態様によれば本発明の一実施形態は、受信機、送信機、メモリ及びプロセッサを含む基地局であって、
このメモリは、命令を記憶するように構成されており、
このプロセッサはメモリと結合されており、このプロセッサはメモリに記憶された命令を実行するように構成されており、またこのプロセッサは本発明の方法実施形態のうちの任意の１つにおいて対応する基地局によって実行される信号伝送方法を実行するように構成されている、基地局を提供する。
【０１４７】
本発明の実施形態によって提供される信号伝送の方法及び装置、通信システム、端末並びに基地局によれば、端末はチャネルの繰り返し係数又は拡張シーケンスを決定すると共に、この繰り返し係数又は拡張シーケンスの長さに従ってチャネルの伝送サブフレームの数を増大させて、送信時間を長くし、これによりチャネルの送信エネルギーが増大すると共にチャネルのカバー域が拡大しており、また基地局はチャネルの繰り返し係数又は拡張シーケンスを決定すると共に、チャネルの受信のための伝送サブフレームの数を増大させて、受信時間を長くし、これによりチャネルの受信エネルギーが増大し、チャネルでの信号の復調が容易になると共に、通信品質が向上する。
【図面の簡単な説明】
【０１４８】
【図１】本発明による信号伝送方法の第１の実施形態の信号伝達流れ図である。
【図２】Ｗａｌｓｈ・シーケンスの法則の概要図である。
【図３】本発明による信号伝送方法の第４の実施形態の流れ図である。
【図４】本発明による信号伝送方法の第５の実施形態の流れ図である。
【図５】本発明による信号伝送方法の第６の実施形態の流れ図である。
【図６】本発明による信号伝送方法の第７の実施形態の流れ図である。
【図７】本発明による信号伝送方法の第８の実施形態の流れ図である。
【図８】本発明による信号伝送方法の第１４の実施形態の流れ図である。
【図９】本発明による信号伝送方法の第１５の実施形態の流れ図である。
【図１０】本発明による信号伝送方法の第１６の実施形態の流れ図である。
【図１１】本発明による信号伝送装置の第１の実施形態の概要構造図である。
【図１２】本発明による信号伝送装置の第２の実施形態の概要構造図である。
【図１３】本発明による信号伝送装置の第３の実施形態の概要構造図である。
【図１４】本発明による信号伝送装置の第４の実施形態の概要構造図である。
【図１５Ａ】本発明による信号伝送装置の第５の実施形態の概要構造図である。
【図１５Ｂ】本発明による信号伝送装置の第５の実施形態の概要構造図である。
【図１６】本発明による信号伝送装置の第６の実施形態の概要構造図である。
【図１７】本発明による信号伝送装置の第７の実施形態の概要構造図である。
【図１８】本発明による信号伝送装置の第８の実施形態の概要構造図である。
【図１９】本発明による信号伝送装置の第９の実施形態の概要構造図である。
【図２０Ａ】本発明による信号伝送装置の第１０の実施形態の概要構造図である。
【図２０Ｂ】本発明による信号伝送装置の第１０の実施形態の概要構造図である。
【図２１】本発明による通信システムの一実施形態の概要構造図である。
【図２２】本発明による端末の一実施形態の概要構造図である。
【図２３】本発明による基地局の一実施形態の概要構造図である。
【発明を実施するための形態】
【０１４９】
本発明の実施形態の目的、技術的解決法及び利点をより明瞭にするために、本発明の実施形態に関する添付の図面を参照しながら本発明の実施形態の技術的解決法について下記で明瞭且つ完全に説明することにする。記載した実施形態が実施形態の全部ではなく本発明の実施形態の一部であることは明らかであろう。本発明の実施形態に基づいて当業者により創造的作業を伴うことなく取得される他のすべての実施形態は本発明の保護域内に入るものとする。
【０１５０】
カバー域とは、ある送信機、受信機及び伝送チャネルの条件下でチャネル伝送要件を満たす伝送距離を意味する。チャネルのカバー域性能は、送信時間、最大送信電力、受信時間、受信アルゴリズム、チャネル構造、その他を含む多くの要因による影響を受けており、また他の条件が変わらない場合において、送信時間が長いほど、チャネルに累積されるエネルギーがそれだけ多くなると共に、チャネルが備える送信可能距離がそれだけ長くなり、したがってカバー域が向上する。本発明の実施形態では、具体的にＰＲＡＣＨ及びＰＵＳＣＨのそれぞれに関して、この２つのチャネルのカバー域を改善するような送信時間を増大するための方法を提供する。本方法はまた他のチャネルにも適用可能であり、それは本発明の実施形態では限定されない。
【０１５１】
本発明の一実施形態は、端末とし得る信号送信端と基地局とし得る信号受信端との間のやり取りのための方法を提供する。本発明のこの実施形態での事前設定の整数は、事前構成又は事前指定の整数を通じて取得される整数を含む。
【０１５２】
本発明の一実施形態は、信号伝送方法を提供しており、端末によってこれに対応して実行される部分には、
チャネルの繰り返し係数又は拡張シーケンスを決定するステップと、
繰り返し係数又は拡張シーケンスの長さに従って伝送サブフレームであるような時間領域リソースを決定するステップと、
チャネルの伝送サブフレームを使用することによって信号を送信するステップと、
を含み得る。
【０１５３】
この実施形態による端末によって信号を送信するための方法の技術的効果としては、端末がチャネルの繰り返し係数又は拡張シーケンスを使用することによって且つ繰り返し係数又は拡張シーケンスの長さに従ってチャネルの伝送サブフレームの数を増大させて、送信時間を長くし、これによりチャネルの送信エネルギーが増大すること、並びに前掲の方法を使用することによってチャネルのカバー域が拡張されること、がある。
【０１５４】
さらに具体的な実装形態の間において、端末によるチャネルの繰り返し係数又は拡張シーケンスを決定するステップの前に本方法は、
チャネルの周波数リソースを決定するステップをさらに含み、ここで
これに対応して、チャネルの伝送サブフレームを使用することによって信号を送信するステップが具体的には、チャネルの周波数リソース及び伝送サブフレームを使用することによって信号を送信している。
【０１５５】
この実施形態による端末によって信号を送信するための方法の技術的効果としては、チャネルの周波数リソースを決定することによって端末が比較的狭い周波数リソースで信号を送信し、これにより単一リソース上での発生電力を向上させることが可能であると共に、単一リソース上での受信信号対雑音比を向上させることが可能であること、さらには、端末がチャネルの繰り返し係数又は拡張シーケンスを決定すると共に繰り返し係数又は拡張シーケンスの長さに従ってチャネルの伝送サブフレームの数を増大させて、送信時間を長くし、これによりチャネルの送信エネルギーが増大すること、並びに前掲の方法を使用することによってチャネルのカバー域が拡張されること、がある。
【０１５６】
前掲の実施形態では、繰り返し係数又は拡張シーケンスは、基地局により決定されて端末に通知されることがあり、或いは計算を通じて端末によって取得されることがある。
【０１５７】
本発明の一実施形態によって提供される信号伝送方法について、基地局によってこれに対応して実行される部分には、
チャネルの繰り返し係数又は拡張シーケンスを決定するステップと、
繰り返し係数又は拡張シーケンスの長さに従って伝送サブフレームであるような時間領域リソースを決定するステップと、
チャネルの伝送サブフレームを使用することによって信号を受信するステップと、
を含み得る。
【０１５８】
この実施形態による基地局によって信号を受信するための方法の技術的効果としては、基地局がチャネルの繰り返し係数又は拡張シーケンスを決定すると共に、チャネルの受信のための伝送サブフレームの数を増大させて、受信時間を長くし、これによりチャネルの受信エネルギーが増大すると共に、チャネルでの信号の復調が容易になること、並びに前掲の方法を使用することによって通信品質が向上すること、がある。
【０１５９】
さらに具体的な実装形態の間において、基地局によりチャネルの繰り返し係数又は拡張シーケンスを決定するステップの前に本方法は、チャネルの周波数リソースを決定するステップをさらに含み、ここで
これに対応して、チャネルの伝送サブフレームを使用することによって信号を受信するステップが具体的に、チャネルの周波数リソース及び伝送サブフレームを使用することによって信号を受信している。
【０１６０】
この実施形態による基地局によって信号を受信するための方法の技術的効果としては、基地局がチャネルの周波数リソースを決定して比較的狭い周波数リソースで信号を受信し、これにより単一リソースでの受信電力を向上させることが可能であり且つ単一リソースでの受信信号対雑音比を向上させることが可能であること、さらには、基地局がチャネルの繰り返し係数又は拡張シーケンスを決定してチャネルを受信する伝送サブフレームの数を増大させて、受信時間を長くし、これによりチャネルの受信エネルギーが増大すると共にチャネルでの信号の復調が容易になること、並びに前掲の方法を使用することによって通信品質が向上すること、がある。
【０１６１】
図１は、本発明による信号伝送方法の第１の実施形態の信号伝達流れ図であり、本方法は任意の送信端デバイス（端末）及び任意の受信端デバイス（基地局）によって実装することができ、また本方法はハードウェア及び／又はソフトウェアによって実装することができる。本方法において、端末によってこれに対応して実行される部分を端末に組み入れることができ、また基地局によってこれに対応して実行される部分を基地局に組み入れることができる。図１に示したように、この実施形態での信号伝送方法は、下記のステップを含むことがある。
【０１６２】
ステップ１０１：基地局がチャネルの周波数リソースを決定する。
【０１６３】
具体的には基地局は、端末が位置しているセル内に存在する端末数、端末と基地局との間の距離、又は端末から基地局までの信号伝送経路の条件などの要因に従ってチャネルの周波数リソースを決定することがある。
【０１６４】
具体的には、チャネルがＰＲＡＣＨである場合に、ＰＲＡＣＨの周波数リソースは、ＰＲＡＣＨの物理リソース・ブロック・オフセット
【０１６５】
（外２１）
2018023150.tif 000023
及びＰＲＡＣＨに対応するリソース・ブロックの数に従って決定することができる。例えば、ＰＲＡＣＨの物理リソース・ブロック・オフセット
【０１６６】
（外２２）
2018023150.tif 000024
に従って、ＰＲＡＣＨの第１の物理リソース・ブロックが
【０１６７】
（外２３）
2018023150.tif 000025
であると決定されることがあり、またＰＲＡＣＨのバンド幅がＰＲＡＣＨに対応するリソース・ブロックの数に従って決定されることがある。
【０１６８】
この方式において、ＰＲＡＣＨに対応するリソース・ブロックの数を整数とすることがあり、また例えば１、２又は３とすることがある。すなわち、この方式で決定される周波数リソースの最小の細分単位（ｇｒａｎｕｌａｒｉｔｙ）は１リソース・ブロック（１２サブキャリア）である。
【０１６９】
別法として、ＰＲＡＣＨの周波数リソースは、ＰＲＡＣＨの物理リソース・ブロック・オフセット
【０１７０】
（外２４）
2018023150.tif 000026
、ＰＲＡＣＨに対応するサブキャリアの数、及びＰＲＡＣＨのサブキャリア・オフセット
【０１７１】
（外２５）
2018023150.tif 000027
に従って決定されることがある。例えば、ＰＲＡＣＨの物理リソース・ブロック・オフセット
【０１７２】
（外２６）
2018023150.tif 000028
に従ってＰＲＡＣＨの第１の物理リソース・ブロックが
【０１７３】
（外２７）
2018023150.tif 000029
であると決定されることがあり、第１の物理リソース・ブロック中の第１のサブキャリアの位置がＰＲＡＣＨのサブキャリア・オフセット
【０１７４】
（外２８）
2018023150.tif 000030
に従って決定されることがあり、またＰＲＡＣＨのバンド幅がＰＲＡＣＨに対応するサブキャリアの数に従って決定されることがある。
【０１７５】
この方式において、ＰＲＡＣＨに対応するリソース・ブロックの数を整数とすることがあり、或いはｎを１２未満の整数としてｎ／１２とすることがある（例えば、１、２若しくは３とすることがあり、又は、１／４若しくは１／６とすることがある）。すなわち、この方式で決定される周波数リソースの最小の細分単位は１サブキャリアとなる。
【０１７６】
チャネルがＰＲＡＣＨである場合、ＰＵＳＣＨの周波数リソースはＰＵＳＣＨのリソース・ブロック指示及びリソース・エレメント・セット指示に従って決定されることがある。ＰＵＳＣＨのリソース・エレメント・セット指示はリソース・エレメント・セット（例えば、１つ又は複数の仮想サブキャリア）を意味することがあり、或いは時間領域及び周波数領域での１組のリソース・エレメント（例えば、拡張リソース・ブロック群（Ｅｎｈａｎｃｅｄ  Ｒｅｓｏｕｒｃｅ  Ｅｌｅｍｅｎｔ  Ｇｒｏｕｐ：略してＥＲＥＧ）又は拡張制御チャネル・エレメント（Ｅｎｈａｎｃｅｄ  Ｃｏｎｔｒｏｌ  Ｃｈａｎｎｅｌ  Ｅｌｅｍｅｎｔ：略してＥＣＣＥ））を意味することがある。仮想サブキャリアは、物理的サブキャリアの論理番号であり、タイムスロット番号又はサブフレーム番号によって様々となり得る。
【０１７７】
さらに具体的には、ＰＵＳＣＨのリソース・エレメント・セット指示が、仮想サブキャリアを決定するために使用されている。
【０１７８】
具体的な実装形態の間において、ＰＲＡＣＨでは、リソース・ブロックの数を一般に端末による事前設定とすることがあり、またＰＲＡＣＨの物理リソース・ブロック・オフセット
【０１７９】
（外２９）
2018023150.tif 000031
及びＰＲＡＣＨのサブキャリア・オフセット
【０１８０】
（外３０）
2018023150.tif 000032
が基地局によって端末に送信される通知メッセージに含まれ、これにより端末が通知メッセージに従ってＰＲＡＣＨの周波数リソースを決定できるようにすることがある。ＰＵＳＣＨでは、ＰＵＳＣＨのリソース・ブロック指示及びリソース・エレメント・セット指示が基地局によって端末に送信される通知メッセージに含まれ、これにより端末が通知メッセージに従ってＰＵＳＣＨの周波数リソースを決定できるようにすることがある。
【０１８１】
ステップ１０２：基地局がチャネルの繰り返し係数又は拡張シーケンスを決定する。
【０１８２】
具体的には、基地局は、端末が位置しているセル、端末と基地局との間の距離、又は端末から基地局までの信号伝送経路の条件などの要因に従ってチャネルの繰り返し係数又は拡張シーケンスを決定することがある。
【０１８３】
繰り返し係数とは、チャネルで信号が反復伝送される回数（すなわち、チャネルの伝送サブフレーム数を増加させる倍数）を意味する。例えば、プリアンブル・フォーマットが２であるようなＰＲＡＣＨは本来２つのサブフレームで送信されており、繰り返し係数が４であればＰＲＡＣＨは８つのサブフレームで送信するように拡張されると共に、追加のサブフレームで送信される信号は２つのサブフレームで送信される原初信号と同じである。本発明のこの実施形態では、繰り返し係数を、拡張が実行されない場合を意味する１とすることや、或いは繰り返し係数を拡張が実行される場合を意味する別の整数値とすることがある。
【０１８４】
拡張シーケンスはこの拡張シーケンスの数値を信号振幅重みとして使用することによって当該チャネルにおいて信号を反復して送信するために使用されており、またその反復回数がこの拡張シーケンスの数値（すなわち、拡張シーケンスの長さ）となる。例えば、プリアンブル・フォーマットが０であるようなＰＲＡＣＨは本来１サブフレームで送信されており、また拡張シーケンスが｛１、−１、１、−１｝であればＰＲＡＣＨは４サブフレームで送信するように拡張され、拡張後において、第１のサブフレーム及び第３のサブフレームの位相が原初信号の位相と同じになると共に、第２のサブフレーム及び第４のサブフレームの振幅は原初信号の振幅と同じ振幅値及び反対の位相を有することになる。
【０１８５】
ステップ１０３：端末がチャネルの周波数リソースを決定する。
【０１８６】
さらに具体的には、ＰＲＡＣＨチャネルにおいて、端末は、ＰＲＡＣＨの物理リソース・ブロック・オフセット
【０１８７】
（外３１）
2018023150.tif 000033
及びＰＲＡＣＨに対応するリソース・ブロックの数に従ってＰＲＡＣＨの周波数リソースを決定することがあり、或いは
ＰＲＡＣＨの物理リソース・ブロック・オフセット
【０１８８】
（外３２）
2018023150.tif 000034
、ＰＲＡＣＨに対応するリソース・ブロックの数、及びＰＲＡＣＨのサブキャリア・オフセット
【０１８９】
（外３３）
2018023150.tif 000035
に従ってＰＲＡＣＨの周波数リソースを決定することがある。
【０１９０】
ＰＵＳＣＨチャネルでは、端末はＰＵＳＣＨのリソース・ブロック指示及びリソース・エレメント・セット指示に従ってＰＵＳＣＨの周波数リソースを決定することがある。
【０１９１】
さらに、チャネルの周波数リソースを決定するための前掲のパラメータは、基地局によって送信された通知メッセージを受信することによって端末によって取得されることがある。
【０１９２】
ステップ１０４：端末がチャネルの繰り返し係数又は拡張シーケンスを決定する。
【０１９３】
さらに具体的には、ステップ１０４において、端末によりチャネルの繰り返し係数又は拡張シーケンスを決定するための方式は、基地局によって送信された通知メッセージの構成に従ってチャネルの繰り返し係数又は拡張シーケンスを決定することがある。
【０１９４】
さらに、チャネルの繰り返し係数を決定するステップが、
基地局によって送信された、チャネルの繰り返し係数を含む通知メッセージを受信することを含むことがある。
【０１９５】
またさらに、通知メッセージに含まれる繰り返し係数は１つの数値とすることや、複数の数値とすることがあり、また端末はこれらの数値からの１つをチャネルの繰り返し係数としてランダムに選択することがある。
【０１９６】
別法として、チャネルの拡張シーケンスを決定するステップが、
基地局によって送信された、拡張シーケンス識別子を含む通知メッセージを受信し、且つこの拡張シーケンス識別子に従って拡張シーケンスを決定するステップを含むことがある。
【０１９７】
具体的な実装形態の間において、一群の拡張シーケンスについて基地局と端末によってあらかじめ合意されることがあり、また各拡張シーケンスが１つの拡張シーケンス識別子に対応することがある。例えば基地局は、複数の拡張シーケンス及び各拡張シーケンスの識別子を構成すると共に、拡張シーケンスと拡張シーケンス識別子との間のマッピングを、システム・メッセージを使用することによって端末に送信することがあり、この際にこのマッピングは、端末が電源オンとなったことを基地局が検出したとき又は端末が位置を更新したときに端末に送られることがある。一方、このマッピングは拡張シーケンスの長さをさらに含むことがある。例えば、拡張シーケンスは、各拡張シーケンスの長さが１つの拡張シーケンスに対応し、これにより拡張シーケンスの長さを拡張シーケンス識別子として直接使用できるように設計されることがあり、また拡張シーケンスはさらに１つの拡張シーケンスの長さが複数の拡張シーケンスに対応するようにして設計されることがある。この場合に、このマッピングは３次元であると共に、拡張シーケンス識別子と、拡張シーケンスと、拡張シーケンスの長さとの間の対応関係は確定的であり、これにより端末は拡張シーケンス識別子を使用することによって対応する拡張シーケンス及び拡張シーケンスの長さを見出すことが可能である。
【０１９８】
さらに、ステップ１０２で基地局によって決定された繰り返し係数又は拡張シーケンスはチャネルの周波数リソースに対応することがあり、またこれに対応して、通知メッセージは、チャネルの周波数リソースと、この周波数リソースに対応する繰り返し係数又は拡張シーケンス識別子と、を含むことがある。
【０１９９】
ステップ１０５：端末が繰り返し係数又は拡張シーケンスの長さに従って伝送サブフレームであるような時間領域リソースを決定する。
【０２００】
拡張シーケンスの長さは拡張シーケンス中の数値の数であり、例えば拡張シーケンスが｛１、１、２｝であれば、拡張シーケンスは３つの数値を含む（すなわち、拡張シーケンスの長さは３である）。
【０２０１】
具体的には、チャネルの原初伝送サブフレームの数が２であり且つ繰り返し係数が４であるか又は拡張シーケンスの長さが４である（すなわち、拡張シーケンスが４つの数値を含む）場合、拡張後におけるチャネルの伝送サブフレーム数は８であり、したがって無線フレームから８つのサブフレームが事前設定の規則に従って伝送サブフレームとして選択される。この際に、事前設定の規則もまた基地局と端末によってあらかじめ合意されたものとすることがあり、また具体的にどの事前設定の規則を使用することになるかは具体的なチャネルに関する後続の実施形態で説明することにする。
【０２０２】
ステップ１０６：端末がチャネルの伝送サブフレームを使用することによって信号を送信する。
【０２０３】
ステップ１０７：基地局が繰り返し係数又は拡張シーケンスの長さに従って伝送サブフレームであるような時間領域リソースを決定する。
【０２０４】
ステップ１０８：基地局がチャネルの伝送サブフレームを使用することによって信号を受信する。
【０２０５】
ステップ１０５からステップ１０８では、上のステップ１０５とステップ１０６、及びステップ１０７とステップ１０８が、端末と基地局によって同時に実行される２つのステップ群である。ここでは、ステップ１０５とステップ１０７の実行は絶対時間という意味では厳密には同期しないことがあるが、一方ステップ１０６とステップ１０８は絶対時間という意味で同期して実行される必要がある。
【０２０６】
この実施形態では、端末は、繰り返し係数又は拡張シーケンスの長さに従ってチャネルの伝送サブフレーム数を増大させて、送信時間を長くし、これによりチャネルの送信エネルギーを増大させると共にチャネルのカバー域を拡大しており、基地局は、チャネルを受信するための伝送サブフレームの数を増大させて、受信時間を長くし、これによりチャネルの受信エネルギーを増大させ、チャネルでの信号の復調を容易にし、且つ通信品質を向上させている。
【０２０７】
前掲の実施形態では、そのチャネルを物理ランダム・アクセス・チャネル（ＰＲＡＣＨ）又は物理上りリンク共有チャネル（ＰＵＳＣＨ）とすることがある。
【０２０８】
さらに、前掲の実施形態では、またさらに、拡張シーケンスをＷａｌｓｈ・シーケンスとすることがある。
【０２０９】
Ｗａｌｓｈ・シーケンスは直交シーケンスであると共に、シーケンスは望ましい直交性を有する。図２は、Ｗａｌｓｈ・シーケンスの規則の概要図である。図２において、ＣはＷａｌｓｈ・シーケンスを意味しており、Ｃの下付き文字は拡張因子を意味しており、拡張因子の第２の位置はシーケンスの長さを意味しており、またＣの下付き文字の第３の位置は同じ長さを有するＷａｌｓｈ・シーケンスのシーケンス番号を意味している。例えば、Ｃｃｈ，１，０は長さが１であるような第１のＷａｌｓｈ・シーケンスを意味し、またＣｃｈ，４，１は長さが４であるような第２のＷａｌｓｈ・シーケンスを意味している。図２に示したように、Ｗａｌｓｈ・シーケンスの長さはｎが整数であるとして１、２、４又は２ｎとすることができ、また長さがＮであるようなＷａｌｓｈ・シーケンスの数はＮ個である。
【０２１０】
別法として、拡張シーケンスを、疑似ノイズ（Ｐｓｅｕｄｏ−Ｎｏｉｓｅ：略してＰＮ）シーケンスから作成されたシーケンスとすることがある。
【０２１１】
ＰＮシーケンスは、次式（１）のｃ（ｎ）などの疑似ランダム・シーケンスである。
ｃ（ｎ）＝（ｘ１（ｎ＋ＮＣ）＋ｘ２（ｎ＋ＮＣ））ｍｏｄ２        （１）
上式において、ＮＣは整数であり、また第１の一群のシーケンスｘ１と第２の一群のシーケンスｘ２とは下記の条件を満たす。
ｘ１（ｎ＋３ｌ）＝（ｘ１（ｎ＋３）＋ｘ１（ｎ））ｍｏｄ２
ｘ２（ｎ＋３ｌ）＝（ｘ２（ｎ＋３）＋ｘ２（ｎ＋２）＋ｘ２（ｎ＋１）＋ｘ２（ｎ））ｍｏｄ２
【０２１２】
拡張シーケンスは、前掲のＰＮシーケンス内の第１の一群のシーケンスｘ１と第２の一群のシーケンスｘ２とを別々に初期化することによって作成されるシーケンスとすることがある。
【０２１３】
さらに、拡張シーケンスがＰＮシーケンスから作成されたシーケンスであることは具体的には、
ＮＣ＝１６００であると仮定して、第１の一群のシーケンスｘ１をｘ１（０）＝１、ｘ１（ｎ）＝０、ｎ＝１、２、．．．、３０と初期化すると共に、第２の一群のシーケンスｘ２を、初期化パラメータｃｉｎｉｔを用いて、
【０２１４】
【数１】
2018023150.tif 000036
と初期化し、次いで式（１）にｘ１及びｘ２を代入することにより、次式が得られる。
【０２１５】
【数２】
2018023150.tif 000037
【０２１６】
式（２）に従って得られるシーケンスｒ（ｍ）を、拡張シーケンスとして使用することが可能である。
【０２１７】
ＮＲｅｐｅｔｉｔｉｏｎは繰り返し係数であると共に整数値であり、またその値は反復がない場合に１とすることができ、ｍを中間パラメータとし、初期化パラメータｃｉｎｉｔは、端末が位置しているセルのセル識別子
【０２１８】
（外３４）
2018023150.tif 000038
及び／又は無線ネットワーク一時的識別子ｎＲＮＴＩに従って決定された数値を用いることがある。例えば、ｃｉｎｉｔは式（３）又は（４）を使用することによって決定されることがある。
【０２１９】
【数３】
2018023150.tif 000039
又は
【０２２０】
【数４】
2018023150.tif 000040
【０２２１】
さらに、初期化パラメータｃｉｎｉｔはまたさらに、拡張シーケンス識別子、並びに端末が位置しているセルのセル識別子
【０２２２】
（外３５）
2018023150.tif 000041
及び／又は無線ネットワーク一時的識別子ｎＲＮＴＩに従って決定された数値を用いることがある。例えば、ｃｉｎｉｔは式（５）又は（６）を使用することによって決定されることがある。
【０２２３】
【数５】
2018023150.tif 000042
【０２２４】
【数６】
2018023150.tif 000043
上式において、ｎｓｅｑｕｅｎｃｅは拡張シーケンス識別子であり、またｘ、ｙ及びｚは事前設定の整数値である。
【０２２５】
下記では、本発明による信号伝送方法の技術的解決法について、幾つかの具体的な実施形態を使用することによって詳細に説明することにする。
【０２２６】
本発明の信号伝送方法の第２の実施形態では、前掲の実施形態に基づいて、端末によって繰り返し係数又は拡張シーケンスを決定するための具体的方法をＰＲＡＣＨチャネルを例として使用することによって説明する。この実施形態では、繰り返し係数又は拡張シーケンスが基地局によって決定されており、また端末は基地局によって送信されると共に繰り返し係数又は拡張シーケンス識別子を含む通知メッセージを受信することによって繰り返し係数又は拡張シーケンスを決定する。
【０２２７】
さらに、通知メッセージはまたさらに、ＰＲＡＣＨの物理リソース・ブロック・オフセット
【０２２８】
（外３６）
2018023150.tif 000044
及びサブキャリア・オフセット
【０２２９】
（外３７）
2018023150.tif 000045
を含み、これにより端末はＰＲＡＣＨに対応する周波数リソースを決定することができる。
【０２３０】
さらに、通知メッセージに含まれるチャネルの周波数リソースが、少なくとも１つの繰り返し係数又は少なくとも１つの拡張シーケンス識別子に対応する。
【０２３１】
具体的には、通知メッセージを、システム情報ブロック（Ｓｙｓｔｅｍ  Ｉｎｆｏｒｍａｔｉｏｎ  Ｂｌｏｃｋ：略してＳＩＢ）メッセージ及び／又は下りリンク制御情報（Ｄｏｗｎｌｉｎｋ  Ｃｏｎｔｒｏｌ  Ｉｎｆｏｒｍａｔｉｏｎ：略してＤＣＩ）メッセージとすることがある。ＰＲＡＣＨは、競合型のＰＲＡＣＨと非競合型のＰＲＡＣＨとに分類される。一般に、非競合型のＰＲＡＣＨでは、通知メッセージとしてＤＣＩメッセージを使用する必要がある。
【０２３２】
さらに好ましくは、通知メッセージがＳＩＢメッセージである場合に、ＰＲＡＣＨの周波数リソースの情報又はＰＲＡＣＨの繰り返し係数若しくは拡張シーケンス識別子が、ＳＩＢメッセージの物理ランダム・アクセス・チャネル構成情報ＰＲＡＣＨ−ＣｏｎｆｉｇＩｎｆｏフィールド、又は物理ランダム・アクセス・チャネル・マシン・タイプ通信構成情報ＰＲＡＣＨ−ＣｏｎｆｉｇＩｎｆｏＭＴＣフィールドに配置されている。繰り返し係数を周波数リソースに対応させることがあり、したがって、ＰＲＡＣＨ−ＣｏｎｆｉｇＩｎｆｏフィールド又はＰＲＡＣＨ−ＣｏｎｆｉｇＩｎｆｏＭＴＣフィールドは、周波数リソースの情報とこの周波数リソースに対応する繰り返し係数の情報との両方を含むことがある。また拡張シーケンスを周波数リソースに対応させることがあり、したがって、ＰＲＡＣＨ−ＣｏｎｆｉｇＩｎｆｏフィールド又はＰＲＡＣＨ−ＣｏｎｆｉｇＩｎｆｏＭＴＣフィールドは、周波数リソースの情報とこの周波数リソースに対応する拡張シーケンス識別子との両方を含むことがある。
【０２３３】
さらに好ましくは、通知メッセージがＤＣＩメッセージである場合に、ＰＲＡＣＨの周波数リソースの情報又はＰＲＡＣＨの繰り返し係数若しくは拡張シーケンス識別子がＤＣＩメッセージの拡張フィールドに配置されるか、或いはＰＲＡＣＨの繰り返し係数若しくは拡張シーケンス識別子がＰＲＡＣＨのプリアンブル・インデックス（Ｐｒｅａｍｂｌｅ  Ｉｎｄｅｘ）とのジョイント符号化又はＤＣＩメッセージ中のＰＲＡＣＨのマスク・インデックス（ＰＲＡＣＨ  Ｍａｓｋ  Ｉｎｄｅｘ）のジョイント符号化を通じて指示されている。
【０２３４】
さらに好ましくは、端末によって基地局が送信すると共に繰り返し係数又は拡張シーケンス識別子を含む通知メッセージを受信するステップが、下記のステップを含むことがある。
【０２３５】
ステップ１：ＰＲＡＣＨの一群の周波数リソースの情報又はＰＲＡＣＨの一群の繰り返し係数又は一群の拡張シーケンス識別子を含むＳＩＢメッセージを受信する。
【０２３６】
ステップ２：ＰＲＡＣＨの一群の周波数リソースの情報中の１つの周波数リソースの情報又はＰＲＡＣＨの一群の繰り返し係数中の１つの繰り返し係数又は一群の拡張シーケンス識別子中の１つの拡張シーケンス識別子を含むＤＣＩメッセージを受信する。
【０２３７】
前掲のタイプの通知メッセージの中で、チャネルの周波数リソースの情報又は繰り返し係数若しくは拡張シーケンス識別子はまた、別のフィールドに配置されることや、別の方式で指示されることがあり、或いは別のタイプのメッセージを通知メッセージとして使用することができ、それは本発明の実施形態では限定されない。
【０２３８】
この実施形態においてＰＲＡＣＨチャネルでは、端末は、基地局によって送信され且つ繰り返し係数又は拡張コード識別子を含むＳＩＢメッセージ又はＤＣＩメッセージを受信することによって、ＰＲＡＣＨチャネルの繰り返し係数又は拡張コードを取得する。
【０２３９】
本発明の信号伝送方法の第３の実施形態では、前掲の実施形態に基づいて、端末によって繰り返し係数又は拡張シーケンスを決定するための具体的方法について、ＰＵＳＣＨチャネルを例として使用することによって説明する。この実施形態では、繰り返し係数又は拡張シーケンスが基地局によって決定されており、また端末は基地局によって送信されると共に繰り返し係数又は拡張シーケンス識別子を含む通知メッセージを受信することによって繰り返し係数又は拡張シーケンスを決定する。
【０２４０】
さらに、通知メッセージはまたさらに、ＰＵＳＣＨのリソース・ブロック指示及びリソース・エレメント・セット指示を含む。
【０２４１】
具体的には、通知メッセージを、無線リソース制御（Ｒａｄｉｏ  Ｒｅｓｏｕｒｃｅ  Ｃｏｎｔｒｏｌ：略してＲＲＣ）メッセージ又はＤＣＩメッセージとすることができる。
【０２４２】
さらに好ましくは、通知メッセージがＲＲＣメッセージである場合に、ＰＵＳＣＨの周波数リソースの情報又はＰＵＳＣＨの繰り返し係数若しくは拡張シーケンス識別子は、ＲＲＣメッセージの物理上りリンク共有チャネル構成ＰＵＳＣＨ−Ｃｏｎｆｉｇフィールドに配置されることや、又は物理上りリンク共有チャネル専用構成ＰＵＳＣＨ−ＣｏｎｆｉｇＤｅｄｉｃａｔｅｄフィールドに配置されることがある。繰り返し係数を周波数リソースに対応させることがあり、したがって、ＰＵＳＣＨ−Ｃｏｎｆｉｇフィールド又はＰＵＳＣＨ−ＣｏｎｆｉｇＤｅｄｉｃａｔｅｄフィールドは、周波数リソースの情報とこの周波数リソースに対応する繰り返し係数の情報との両方を含むことがある。また拡張シーケンスを周波数リソースに対応させることがあり、したがって、ＰＵＳＣＨ−Ｃｏｎｆｉｇフィールド又はＰＵＳＣＨ−ＣｏｎｆｉｇＤｅｄｉｃａｔｅｄフィールドは、周波数リソースの情報とこの周波数リソースに対応する拡張シーケンス識別子との両方を含むことがある。
【０２４３】
さらに好ましくは、通知メッセージがＤＣＩメッセージである場合に、ＰＵＳＣＨの周波数リソースの情報又はＰＵＳＣＨの繰り返し係数若しくは拡張シーケンス識別子がＤＣＩメッセージの拡張フィールドに配置されることがあり、或いはＰＵＳＣＨのリソース・エレメント・セット指示又はＰＵＳＣＨの繰り返し係数若しくは拡張シーケンス識別子が、ＤＣＩメッセージ中のＰＵＳＣＨのリソース・ブロック指示情報とのジョイント符号化を通じて指示されることがある。
【０２４４】
さらに好ましくは、端末によって基地局が送信した通知メッセージを受信するステップが、下記のステップを含むことがある。
【０２４５】
ステップ１：ＰＵＳＣＨの一群の周波数リソースの情報又はＰＵＳＣＨの繰り返し係数又は拡張シーケンス識別子を含むＲＲＣメッセージを受信する。
【０２４６】
ステップ２：ＰＵＳＣＨの一群の周波数リソースの情報中の１つの周波数リソースの情報又はＰＵＳＣＨの一群の繰り返し係数中の１つの繰り返し係数又は一群の拡張シーケンス識別子中の１つの拡張シーケンス識別子を含むＤＣＩメッセージを受信する。
【０２４７】
前掲のタイプの通知メッセージの中で、チャネルの繰り返し係数又は拡張シーケンス識別子はまた、別のフィールドに配置されることや、別の方式で指示されることがあり、或いは別のタイプのメッセージを通知メッセージとして使用することができ、それは本発明の実施形態では限定されない。
【０２４８】
この実施形態においてＰＵＳＣＨチャネルでは、端末は、基地局によって送信され且つ繰り返し係数又は拡張コード識別子を含むＲＲＣメッセージ又はＤＣＩメッセージを受信することによって、ＰＵＳＣＨチャネルの繰り返し係数又は拡張コードを取得する。
【０２４９】
図３は、本発明による信号伝送方法の第４の実施形態の流れ図である。前掲の実施形態に基づいて、ＰＲＡＣＨチャネルでは、この実施形態は、端末が繰り返し係数又は拡張シーケンスの長さに従って伝送サブフレームを決定するための具体的な方法をさらに提供する。この実施形態は、端末によって実行される。図２に示したように、この実施形態による伝送サブフレームを決定するための方法は、下記のステップを含むことがある。
【０２５０】
ステップ３０１：繰り返し係数又は拡張シーケンスの長さに従うと共にＰＲＡＣＨのフォーマットに従って伝送サブフレーム数Ｎを決定する。
【０２５１】
具体的には、０又は１のフォーマットを有するＰＲＡＣＨではその伝送サブフレームの数が１であり、また２又は３のフォーマットを有するＰＲＡＣＨではその伝送サブフレームの数が２である。繰り返し係数が４である、すなわち拡張シーケンスの長さが４である場合、０又は１のフォーマットを有するＰＲＡＣＨが拡張された後の伝送サブフレームの数は４である一方、２又は３のフォーマットを有するＰＲＡＣＨが拡張された後の伝送サブフレームの数は８である。
【０２５２】
ステップ３０２：ランダム・アクセス構成インデックス及び伝送サブフレーム数Ｎに従って伝送サブフレームを決定する。
【０２５３】
ランダム・アクセス構成インデックスの数値は、端末によってランダムに作成されることや、基地局によって事前構成されると共にＳＩＢメッセージ、ＤＣＩメッセージを用いること又は別の方式で端末に伝達されることがある。
【０２５４】
さらに、ステップ３０２は具体的には、下記のステップを含むことがある。
【０２５５】
ステップ３０２ａ：ランダム・アクセス構成インデックスに従って無線フレーム内のＰＲＡＣＨの利用可能なサブフレーム番号を決定する。
【０２５６】
ステップ３０２ｂ：少なくとも１つの無線フレーム内の利用可能なサブフレーム番号を巡回式に使用すると共に、Ｎ個の対応するサブフレームを伝送サブフレームとして決定すること、又は無線フレーム内にあると共に利用可能なサブフレーム番号のうちの任意の１つに対応するサブフレームを開始サブフレームとして使用し、この開始サブフレームから始まる連続するＮ個のサブフレームを伝送サブフレームとして選択すること、を行う。
【０２５７】
下記では、端末と基地局の両方によって記憶が可能な具体的なランダム・アクセス構成テーブルに関連させて伝送サブフレームを決定するための方法について具体的に説明することにする。
【０２５８】
表１は、プリアンブル・フォーマットが０〜３のランダム・アクセス構成テーブルである。表１において、第１列はＰＲＡＣＨ構成インデックスであり、また第２、第３及び第４列はこのＰＲＡＣＨ構成インデックスに対応するプリアンブル・フォーマット、システム・フレーム番号及びサブフレーム番号である。
【０２５９】
ステップ３０２ａは具体的には下記の通りとすることがある。プリアンブル・フォーマット（すなわち、第２列のプリアンブル・フォーマット「Ｐｒｅａｍｂｌｅ  Ｆｏｒｍａｔ」）とＰＲＡＣＨの可能な開始サブフレーム（すなわち、第４列のサブフレーム番号「Ｓｕｂｆｒａｍｅ  ｎｕｍｂｅｒ」）とがランダム・アクセス構成インデックスの数値に従って決定され、これによりＰＲＡＣＨ伝送でのサブフレームの数を決定することができる。例えば、ランダム・アクセス構成インデックスが４１であれば、そのプリアンブル・フォーマットは２であり、また拡張前のサブフレームの数は２であり、無線フレームのサブフレーム番号が｛１、４、７｝のサブフレームをＰＲＡＣＨの開始サブフレームとして選択することができる。
【０２６０】
繰り返し係数又は拡張シーケンスの長さが８であれば、ステップ３０１に従って決定される拡張ＰＲＡＣＨのサブフレーム数は１６である。ＵＥは、基地局の命令に従って、ＰＲＡＣＨ伝送に関する任意選択のサブフレームをランダムに選択（又は、単に選択）する。これに対応して、ステップ３０２ｂについて、利用可能なサブフレーム番号が、Ｎ個の対応するサブフレームを伝送サブフレームとして決定するために巡回式に使用されることがある。ステップ３０２の方法を前掲の例に適用するとき、｛１、４、７、１、４、７、１、４｝などの８つのサブフレームが開始サブフレームとして選択されることがあり、プリアンブル・フォーマットが２であるようなＰＲＡＣＨは２つのサブフレームを必要としており、したがってＰＲＡＣＨが実際に使用する１６個のサブフレームを｛１、２；４、５；７、８；１、２；４、５；７、８；１、２；４、５｝とすることができる。別法として、無線フレーム内において、利用可能なサブフレーム番号のうちの任意の１つに対応するサブフレームを開始サブフレームとして使用することがあると共に、この開始サブフレームから始まる連続するＮ個のサブフレームが伝送サブフレームとして選択され、前掲の例に対応して、｛１、２、３、４、５、６、７、８、９、０、１、２、３、４、５、６｝、｛４、５、６、７、８、９、０、１、２、３、４、５、６、７、８、９｝、又は｛７、８、９、０、１、２、３、４、５、６、７、８、９、０、１、２｝などの１６個のサブフレームを選択することができる。
【０２６１】
【表１】
2018023150.tif 000046
2018023150.tif 000047
【０２６２】
この実施形態では、伝送サブフレームの数が繰り返し係数又は拡張シーケンスの長さに従うと共にＰＲＡＣＨのフォーマットに従って決定されており、またチャネルが拡張された後の伝送サブフレームがランダム・アクセス構成テーブルの一部又は全部を参照し且つランダム・アクセス構成インデックスに従って決定される。
【０２６３】
第４の実施形態で提供される伝送サブフレームを決定するための方法は好ましい方法の１つであること、並びに伝送サブフレームは別の方法を用いても決定することができ、それは本発明の実施形態では限定されないことに留意すべきである。
【０２６４】
図４は、本発明による信号伝送方法の第５の実施形態の流れ図である。前掲の実施形態に基づいて、ＰＵＳＣＨチャネルでは、この実施形態は、端末が繰り返し係数又は拡張シーケンスの長さに従って伝送サブフレームを決定するための具体的な方法をさらに提供する。この実施形態は、端末によって実行される。図４に示したように、この実施形態による伝送サブフレームを決定するための方法は、下記のステップを含むことがある。
【０２６５】
ステップ４０１：繰り返し係数又は拡張シーケンスの長さに従うと共にＰＵＳＣＨのフォーマットに従って伝送サブフレーム数Ｎを決定する。
【０２６６】
ステップ４０２：原初ＰＵＳＣＨの伝送サブフレームを開始サブフレームとして使用し、この開始サブフレームから始まる連続するＮ個のサブフレームを伝送サブフレームとして選択する。
【０２６７】
ＰＵＳＣＨは拡張前では伝送サブフレームを１つだけしか有しておらず、したがって、ＰＵＳＣＨの原初伝送サブフレームを直接開始サブフレームとして使用することができる。
【０２６８】
具体的には、ステップ４０１で決定される伝送サブフレームの数が４であり、拡張前のＰＵＳＣＨの伝送サブフレームがサブフレーム２である場合、拡張後における｛２、３、４、５｝などの４つのサブフレームを選択することができる。
【０２６９】
この実施形態では、伝送サブフレームの数が繰り返し係数又は拡張シーケンスの長さに従い且つＰＵＳＣＨのフォーマットに従って決定されており、また拡張後における原初サブフレームから始まる連続するＮ個のサブフレームが伝送サブフレームとして選択される。
【０２７０】
実施形態４で提供される伝送サブフレームを決定するための方法は好ましい方法の１つであること、並びに伝送サブフレームは別の方法を用いても決定することができ、それは本発明の実施形態では限定されないことに留意すべきである。
【０２７１】
図５は、本発明による信号伝送方法の第６の実施形態の流れ図である。前掲の実施形態に基づいて、ＰＵＳＣＨチャネルでは、この実施形態は、端末によって伝送サブフレームで信号を送信するための具体的方法をさらに提供する。この実施形態は、端末によって実行される。図５に示したように、この実施形態による伝送サブフレームで信号を送信する方法は、下記のステップを含むことがある。
【０２７２】
ステップ５０１：サブフレーム番号がｍ１であるサブフレームにおいて、基地局によって送信されたＤＣＩメッセージ又は混成自動反復要求−肯定応答ＨＡＲＱ−ＡＣＫメッセージを受信する（ここで、サブフレームｍ１はサブフレームｐ１＋４の前にあり、且つｐ１は１つのＰＵＳＣＨ伝送中の最終サブフレームのサブフレーム番号である）。
【０２７３】
ステップ５０２：ＤＣＩメッセージ又はＨＡＲＱ−ＡＣＫメッセージによって基地局が目下のＰＵＳＣＨ伝送で信号を首尾よく受信したことが指示された場合に、サブフレームｍ１＋ｋ１（ｋ１は事前設定の整数）において目下の伝送を終了する。
【０２７４】
具体的には、ｋ１を例えば３に設定することがある。ｋ１のセットアップは、端末がＤＣＩメッセージ又はＨＡＲＱ−ＡＣＫメッセージを受信した後のｋ１個のサブフレームの間に端末がＤＣＩメッセージ又はＨＡＲＱ−ＡＣＫメッセージを解析し、これによりＤＣＩメッセージ又はＨＡＲＱ−ＡＣＫメッセージによって基地局が目下のＰＵＳＣＨ伝送で信号を首尾よく受信したことが指示されたかどうかを判定するために使用されることがある。
【０２７５】
ＤＣＩメッセージ又はＨＡＲＱ−ＡＣＫメッセージが基地局が目下のＰＵＳＣＨ伝送で信号を首尾よく受信したことを指示していない場合（例えば、端末が受信したＤＣＩメッセージ又はＨＡＲＱ−ＡＣＫメッセージが別のチャネル又は目下のＰＵＳＣＨ伝送以外の伝送に関する応答メッセージである場合）、端末は目下のＰＵＳＣＨに対するあらゆる処理を実行しないことがあり、また依然として例えば前掲の実施形態のステップ３０２で決定された伝送サブフレームで信号を送信する。
【０２７６】
従来技術では、基地局によって送信されたＤＣＩメッセージ又は混成自動反復要求−肯定応答ＨＡＲＱ−ＡＣＫメッセージは一般に、サブフレームｐ１＋４又はサブフレームｐ１＋４の後のサブフレームで受信される。すなわち、基地局によって送信されたＤＣＩメッセージ又は混成自動反復要求−肯定応答ＨＡＲＱ−ＡＣＫメッセージは、あるＰＵＳＣＨ伝送の完了から少なくとも４ミリ秒（４サブフレーム）後に受信される。このため、端末の送信した信号を基地局がＰＵＳＣＨ伝送の完了前に首尾よく受信した場合であっても、基地局は依然として反復信号の受信を継続しており、これが信号伝送時間が長くなること、及び伝送リソースの無駄につながる。例えば、あるＰＵＳＣＨ伝送でのサブフレームの数は８であり、基地局は端末が送信した信号を第４のサブフレームで首尾よく受信することが可能である、しかし従来技術の解決法では、端末は少なくとも第１２のサブフレームまで基地局によって送信された応答メッセージの受信を開始していない（すなわち、第４のサブフレーム後の８つのサブフレームでの伝送は実際には不要である）。
【０２７７】
この実施形態では、ＤＣＩメッセージ又は混成自動反復要求−肯定応答ＨＡＲＱ−ＡＣＫメッセージを受信する時点がサブフレームｐ１＋４の前に繰り上げられており、且つＤＣＩメッセージ又はＨＡＲＱ−ＡＣＫメッセージによって基地局が目下のＰＵＳＣＨ伝送で信号を首尾よく受信したことが指示された場合に、端末は目下のＰＵＳＣＨ伝送を前倒しで終了させ、これにより伝送リソースを節約することが可能である。
【０２７８】
図６は、本発明による信号伝送方法の第７の実施形態の流れ図である。前掲の実施形態に基づいて、ＰＲＡＣＨチャネルでは、この実施形態は、端末によって伝送サブフレームで信号を送信するための具体的方法をさらに提供する。この実施形態は、端末によって実行される。図６に示したように、この実施形態において伝送サブフレームで信号を送信するための方法は、下記のステップを含むことがある。
【０２７９】
ステップ６０１：時間ウィンドウの開始サブフレームのサブフレーム番号ｗ及び時間ウィンドウの長さを決定する（ここで、時間ウィンドウの開始サブフレームｗはサブフレームｐ２＋３の前にあり、且つｐ２は１つのＰＲＡＣＨ伝送中の最終サブフレームのサブフレーム番号である）。
【０２８０】
さらに具体的には、時間ウィンドウの開始サブフレームｗは、ｔ１及びｔ２が事前設定の整数であり且つｎ２が１つのＰＲＡＣＨ伝送中の開始サブフレームのサブフレーム番号であるとしてｗ＝ｐ２−ｔ１又はｗ＝ｎ２＋ｔ２であることに従って決定されることがある。例えば、あるＰＲＡＣＨ伝送のサブフレームであるＰＲＡＣＨ伝送のサブフレームのサブフレーム番号が不連続の整数（例えば、｛７、８、９、０、１、２、３、４｝）であることがあり、またｔ１又はｔ２の数値は、時間ウィンドウの開始サブフレームｗが目下のＰＲＡＣＨ伝送で使用されるサブフレーム内にあり且つ目下のＰＲＡＣＨ伝送の最終サブフレームから後の３サブフレーム内に配置されるように目下のＰＲＡＣＨ伝送で使用されるサブフレームに対して適応させ、伝送リソースを節約するという目的を達成することが必要である。
【０２８１】
ステップ６０２：時間ウィンドウ内のサブフレーム番号がｍ２であるサブフレームにおいて、基地局によって送信されたランダム・アクセス応答ＲＡＲを受信する。
【０２８２】
ステップ６０３：サブフレームｍ２＋ｋ２（ｋ２は事前設定の整数）において目下の伝送を終了する。
【０２８３】
具体的には、ｋ２を例えば３に設定することがある。ｋ２は、端末がＲＡＲを受信した後のｋ２個のサブフレームの間でＲＡＲを端末によって解析し、ＲＡＲが目下のＰＲＡＣＨ伝送に対する応答であるかどうか、及び基地局によって目下のＰＲＡＣＨ伝送で信号が首尾よく受信されたことをＲＡＲが指示しているかどうかの判定が可能となるように設定される。
【０２８４】
この実施形態では、ステップ６０１と従来技術の違いは、時間ウィンドウの開始サブフレームが従来技術ではｐ２＋３の後に設定されている一方、この実施形態のステップ６０１では時間ウィンドウの開始サブフレームがｐ２＋３の前に設定されるという点にある。従来技術では、基地局によって送信された応答メッセージを受信するための時間ウィンドウがＰＲＡＣＨ伝送の完了から３ミリ秒（３サブフレーム）後まで有効化されていない。このため、受信端（すなわち、基地局）がＰＲＡＣＨ伝送の完了前に送信端（すなわち、端末デバイス）が送信した信号を首尾よく受信した場合であっても、受信端は依然として反復信号の受信を継続しており、これが信号伝送時間が長くなること、及び伝送リソースの無駄につながる。
【０２８５】
この実施形態では、ＲＡＲの受信のための時間ウィンドウを繰り上げると共に、端末によって基地局が目下のＰＲＡＣＨ伝送で信号を首尾よく受信したと判定された後に目下のＰＲＡＣＨ伝送を前倒しで終了させ、これにより伝送リソースの節約を可能にしている。
【０２８６】
図７は、本発明による信号伝送方法の第８の実施形態の流れ図である。前掲の実施形態のうちの任意の１つに基づいて、この実施形態は、端末が信号を送信する前に繰り返し係数又は拡張シーケンスを選択するための方法をさらに説明する。この実施形態は、端末によって実行される。この実施形態では、端末は基地局によって送信された通知メッセージから可能な様々な繰り返し係数又は拡張シーケンスを取得することがあり、また信号を送信する前に端末は、ある種のアルゴリズムを使用することによる計算又は推定を実行し、信号を繰り返し係数又は拡張シーケンスを使用することによって送信することを要するかどうかを判定することがある。図７に示したように、この実施形態による方法は、下記のステップを含むことがある。
【０２８７】
ステップ７０１：基地局によって送信された、チャネルの目標受信電力を含むシステム・メッセージを受信する。
【０２８８】
ステップ７０２：チャネルの最大送信電力、経路損失及び目標受信電力に従って、当該チャネルが繰り返し係数又は拡張シーケンスを使用することによって送信することを要するかどうかを判定する。
【０２８９】
諾であればステップ７０３が実行され、諾でなければステップ７０４が実行される。
【０２９０】
ステップ７０３：チャネルの繰り返し係数を決定する、又はチャネルの拡張シーケンスの長さを決定し且つこの拡張シーケンスの長さに対応する拡張シーケンスを決定する。
【０２９１】
具体的には、チャネルの繰り返し係数は端末と基地局によってあらかじめ合意された１つ又は複数の数値とすることがあり、またチャネルの拡張シーケンスもまた端末と基地局によってあらかじめ合意された１つ又は複数のシーケンスとすることがある（ただし、複数のシーケンスの長さは異なっていてもよい）。具体的な実装形態の間において、１つ若しくは複数の繰り返し係数又は１つ若しくは複数の拡張シーケンスは、ステップ７０１においてシステム・メッセージを使用することによって指定されることや、或いは第３の実施形態及び実施形態４の通知メッセージのうちの任意の１つを使用することによって指定されることや、或いは別の方式で指定されることができ、それは本発明の実施形態では限定されない。
【０２９２】
これに対応して、ステップ７０３は、１つ又は複数の指定された繰り返し係数から１つの係数を選択すること、或いは１つ又は複数の拡張シーケンスから１つのシーケンスを選択すること、とし得る。
【０２９３】
さらに具体的には、ステップ７０３における、チャネルの繰り返し係数を決定する、又はチャネルの拡張シーケンスの長さを決定するステップが、
チャネルの最大送信電力、経路損失及び目標受信電力に従って、チャネルの繰り返し係数を決定するステップ、又は拡張シーケンスの長さを決定し、次いでこの拡張シーケンスの長さに従って拡張シーケンスを選択するステップ、を含むことがある。例えば、端末の最大送信電力は２３ｄＢであり、経路損失は１００ｄＢであり、且つチャネルの目標受信電力は−６０ｄＢである。このケースでは、基地局によって受信される各サブフレームに１３ｄＢの電力差が存在すると共に、ワイヤレス通信の理論及び実験式に従って、２０回にわたり伝送を反復すること（したがって、繰り返し係数又は拡張シーケンスの長さを２０と設定し得る）によって受信端が信号を首尾よく受信可能である、ことを得ることができる。
【０２９４】
ステップ７０４：チャネルを従来の方式で送信する。
【０２９５】
前掲の例では、端末の最大送信電力が４０ｄＢ以上であれば、繰り返し係数又は拡張シーケンスを使用してチャネルを拡張しなくともよく、当該チャネルでは信号が従来方式で送信される。
【０２９６】
この実施形態では、信号を送信する前に、端末は先ず、そのチャネルが繰り返し係数又は拡張シーケンスを使用することによる拡張を必要とするかどうかを判定すると共に、計算を通じて最も適当な繰り返し係数又は拡張シーケンスを選択することが可能であり、これにより端末は伝送リソースをより合理的に用いることが可能である。
【０２９７】
前掲の実施形態では、これに対応して、受信の前に基地局は、端末が繰り返し係数又は拡張シーケンスを使用するかどうかを知ることは不可能であり、且つ端末によってどの繰り返し係数又は拡張シーケンスが選択されるかを知ることは不可能である。したがって、可能なすべての繰り返し係数又は拡張シーケンスに従って決定された伝送サブフレームで同時に受信を実行することが必要である。
【０２９８】
下記では、本発明により提供される信号伝送方法の第１の実施形態においてこれに対応して基地局が実行する方法を説明する。本方法は、
チャネルの周波数リソースを決定するステップと、
チャネルの繰り返し係数又は拡張シーケンスを決定するステップと、
繰り返し係数又は拡張シーケンスの長さに従って伝送サブフレームであるような時間領域リソースを決定するステップと、
チャネルの周波数リソース及び伝送サブフレームを使用することによって信号を受信するステップと、
を含む。
【０２９９】
本発明の信号伝送方法の第９の実施形態では、繰り返し係数又は拡張シーケンスが決定された後で基地局がどのようにして端末に通知するかの方法が追加される。この実施形態では、基地局は、端末に通知メッセージを送信することによって、決定された繰り返し係数又は拡張シーケンスの情報を伝達する。具体的には、この通知メッセージは、チャネルの繰り返し係数又は拡張シーケンス識別子を含み、これにより当該通知メッセージに従ってチャネルの繰り返し係数又は拡張シーケンスを決定するように端末に指令している。
【０３００】
さらに具体的には、繰り返し係数又は拡張シーケンスをチャネルの周波数リソースに対応させており、したがって通知メッセージは、チャネルの周波数リソース、及びこの周波数リソースに対応する繰り返し係数又は拡張シーケンス識別子を含むことがある。
【０３０１】
本発明の信号伝送方法の第１０の実施形態では、さらに具体的には、通知メッセージの具体的な形態についてＰＲＡＣＨチャネルを例として使用することによって説明する。ＰＲＡＣＨチャネルでは、通知メッセージをＳＩＢメッセージ又はＤＣＩメッセージとすることがある。ＰＲＡＣＨは競合型のＰＲＡＣＨと非競合型のＰＲＡＣＨとに分類される。一般に、非競合型のＰＲＡＣＨでは、通知メッセージとしてＤＣＩメッセージを使用する必要がある。
【０３０２】
さらに好ましくは、通知メッセージがＳＩＢメッセージである場合に、ＰＲＡＣＨの周波数リソースの情報又はＰＲＡＣＨの繰り返し係数若しくは拡張シーケンス識別子は、ＳＩＢメッセージのＰＲＡＣＨ−ＣｏｎｆｉｇＩｎｆｏフィールド又はＰＲＡＣＨ−ＣｏｎｆｉｇＩｎｆｏＭＴＣフィールドに配置されることがある。繰り返し係数を周波数リソースに対応させることがあり、したがって、ＰＲＡＣＨ−ＣｏｎｆｉｇＩｎｆｏフィールド又はＰＲＡＣＨ−ＣｏｎｆｉｇＩｎｆｏＭＴＣフィールドは、周波数リソースの情報とこの周波数リソースに対応する繰り返し係数の情報との両方を含むことがある。また拡張シーケンスを周波数リソースに対応させることがあり、したがって、ＰＲＡＣＨ−ＣｏｎｆｉｇＩｎｆｏフィールド又はＰＲＡＣＨ−ＣｏｎｆｉｇＩｎｆｏＭＴＣフィールドは、周波数リソースの情報とこの周波数リソースに対応する拡張シーケンス識別子との両方を含むことがある。
【０３０３】
さらに好ましくは、通知メッセージがＤＣＩメッセージである場合に、ＰＲＡＣＨの周波数リソースの情報又はＰＲＡＣＨの繰り返し係数若しくは拡張シーケンス識別子がＤＣＩメッセージの拡張フィールドに配置されるか、或いはＰＲＡＣＨの繰り返し係数若しくは拡張シーケンス識別子がＰＲＡＣＨのプリアンブル・インデックス（Ｐｒｅａｍｂｌｅ  Ｉｎｄｅｘ）とのジョイント符号化又はＤＣＩメッセージ中のＰＲＡＣＨのマスク・インデックス（ＰＲＡＣＨ  Ｍａｓｋ  Ｉｎｄｅｘ）のジョイント符号化を通じて指示されている。
【０３０４】
さらに好ましくは、基地局によって端末に通知メッセージを送信するステップが、下記のステップを含むことがある。
【０３０５】
ステップ１：端末に対して、ＰＲＡＣＨの一群の周波数リソースの情報又はＰＲＡＣＨの一群の繰り返し係数又は一群の拡張シーケンス識別子を含むＳＩＢメッセージを送信する。
【０３０６】
ステップ２：端末に対して、ＰＲＡＣＨの一群の周波数リソースの情報中の１つの周波数リソースの情報又はＰＲＡＣＨの一群の繰り返し係数中の１つの繰り返し係数又は一群の拡張シーケンス識別子中の１つの拡張シーケンス識別子を含むＤＣＩメッセージを送信する。
【０３０７】
前掲のタイプの通知メッセージの中で、チャネルの繰り返し係数又は拡張シーケンス識別子はまた、別のフィールドに配置されることや、別の方式で指示されることがあり、或いは別のタイプのメッセージを通知メッセージとして使用することができ、それは本発明の実施形態では限定されない。
【０３０８】
この実施形態においてＰＲＡＣＨチャネルでは、基地局は、ＰＲＡＣＨチャネルの繰り返し係数又は拡張コードについて、端末に送信され且つ繰り返し係数又は拡張コード識別子を含むＳＩＢメッセージ又はＤＣＩメッセージを使用することによって端末に通知する。
【０３０９】
本発明の信号伝送方法の第１１の実施形態では、前掲の実施形態に基づいて、基地局によって繰り返し係数又は拡張シーケンスについて端末に通知するための具体的方法について、ＰＵＳＣＨチャネルを例として使用することによって説明する。
【０３１０】
具体的には、ＰＵＳＣＨチャネルでは、通知メッセージを、無線リソース制御（Ｒａｄｉｏ  Ｒｅｓｏｕｒｃｅ  Ｃｏｎｔｒｏｌ：略してＲＲＣ）メッセージ又はＤＣＩメッセージとすることができる。
【０３１１】
さらに好ましくは、通知メッセージがＲＲＣメッセージである場合に、ＰＵＳＣＨの周波数リソースの情報又はＰＵＳＣＨの繰り返し係数若しくは拡張シーケンス識別子は、ＲＲＣメッセージの物理上りリンク共有チャネル構成ＰＵＳＣＨ−Ｃｏｎｆｉｇフィールドに配置されることや、又は物理上りリンク共有チャネル専用構成ＰＵＳＣＨ−ＣｏｎｆｉｇＤｅｄｉｃａｔｅｄフィールドに配置されることがある。繰り返し係数を周波数リソースに対応させることがあり、したがって、ＰＵＳＣＨ−Ｃｏｎｆｉｇフィールド又はＰＵＳＣＨ−ＣｏｎｆｉｇＤｅｄｉｃａｔｅｄフィールドは、周波数リソースの情報とこの周波数リソースに対応する繰り返し係数の情報との両方を含むことがある。また拡張シーケンスを周波数リソースに対応させることがあり、したがって、ＰＵＳＣＨ−Ｃｏｎｆｉｇフィールド又はＰＵＳＣＨ−ＣｏｎｆｉｇＤｅｄｉｃａｔｅｄフィールドは、周波数リソースの情報とこの周波数リソースに対応する拡張シーケンス識別子との両方を含むことがある。
【０３１２】
さらに好ましくは、通知メッセージがＤＣＩメッセージである場合に、ＰＵＳＣＨの周波数リソースの情報又はＰＵＳＣＨの繰り返し係数若しくは拡張シーケンス識別子がＤＣＩメッセージの拡張フィールドに配置されるか、或いはＰＵＳＣＨのリソース・エレメント・セット指示又はＰＵＳＣＨの繰り返し係数若しくは拡張シーケンス識別子が、ＤＣＩメッセージ中のＰＵＳＣＨのリソース・ブロック指示情報とのジョイント符号化を通じて指示されることがある。
【０３１３】
さらに好ましくは、端末に通知メッセージを送信するステップが、下記のステップを含むことがある。
【０３１４】
ステップ１：端末に対して、ＰＵＳＣＨの一群の周波数リソースの情報又はＰＵＳＣＨの一群の繰り返し係数又は一群の拡張シーケンス識別子を含むＲＲＣメッセージを送信する。
【０３１５】
ステップ２：端末に対して、ＰＵＳＣＨの一群の周波数リソースの情報中の１つの周波数リソースの情報又はＰＵＳＣＨの一群の繰り返し係数中の１つの繰り返し係数又は一群の拡張シーケンス識別子中の１つの拡張シーケンス識別子を含むＤＣＩメッセージを送信する。
【０３１６】
前掲のタイプの通知メッセージの中で、チャネルの繰り返し係数又は拡張シーケンス識別子はまた、別のフィールドに配置されることや、別の方式で指示されることがあり、或いは別のタイプのメッセージを通知メッセージとして使用することができ、それは本発明の実施形態では限定されない。
【０３１７】
この実施形態においてＰＵＳＣＨチャネルでは、基地局は、ＰＵＳＣＨチャネルの繰り返し係数又は拡張コードについて、端末に送信され且つ繰り返し係数又は拡張コード識別子を含むＲＲＣメッセージ又はＤＣＩメッセージを使用することによって端末に通知する。
【０３１８】
本発明の信号伝送方法の第１２の実施形態では、基地局によって繰り返し係数又は拡張シーケンスの長さに従って伝送サブフレームを決定するための方法をＰＲＡＣＨに関して説明する。この実施形態は、基地局によって実行される。この実施形態では、繰り返し係数又は拡張シーケンスの長さに従い且つ基地局によって実行される伝送サブフレームを決定するための方法は、本発明の信号伝送方法の第４の実施形態による繰り返し係数又は拡張シーケンスの長さに従い且つ端末によって実行される伝送サブフレームを決定するための方法と同じであり、本発明の信号伝送方法の第４の実施形態及び図３に示した方法を参照することでここでは繰り返さない。
【０３１９】
ステップ３０２において本発明の信号伝送方法の第４の実施形態では、ランダム・アクセス構成インデックスの数値は、端末によってランダムに作成されることや、又は基地局によって事前構成されると共にＳＩＢメッセージ、ＤＣＩメッセージを用いること又は別の方式で端末に伝達されることがあり、また実施形態１１では、ランダム・アクセス構成インデックスの数値はある種のアルゴリズムに従って基地局によって構成されることやランダムに作成されることがあることに留意すべきである。
【０３２０】
本発明の信号伝送方法の第１３の実施形態では、繰り返し係数又は拡張シーケンスの長さに従って基地局によって伝送サブフレームを決定するための方法をＰＵＳＣＨに関して説明する。この実施形態は、基地局によって実行される。この実施形態では、基地局によって実行される繰り返し係数又は拡張シーケンスの長さに従って伝送サブフレームを決定するための方法は、本発明の信号伝送方法の第５の実施形態において繰り返し係数又は拡張シーケンスの長さに従って伝送サブフレームを決定するために端末によって実行される方法と同じであり、本発明の信号伝送方法の第５の実施形態及び図４に示した方法を参照することでここでは繰り返さない。
【０３２１】
図８は、本発明による信号伝送方法の第１４の実施形態の流れ図である。前掲の実施形態に基づいて、ＰＵＳＣＨチャネルでは、この実施形態は、端末によって伝送サブフレームで信号を送信するための具体的方法をさらに提供する。この実施形態は、端末によって実行される。図８に示したように、この実施形態による伝送サブフレームで信号を送信するための方法は、下記のステップを含むことがある。
【０３２２】
ステップ８０１：サブフレーム番号がｍ１であるサブフレームにおいて、端末に対して、基地局が目下のＰＵＳＣＨ伝送で信号を首尾よく復調したことを指示するＤＣＩメッセージ又はＨＡＲＱ−ＡＣＫ混成自動反復要求−肯定応答メッセージを送信する（ここで、サブフレームｍ１はサブフレームｐ１＋４の前にあり、且つｐ１は１つのＰＵＳＣＨ伝送中の最終サブフレームのサブフレーム番号である）。
【０３２３】
ステップ８０２：サブフレームｍ１＋ｋ１（ｋ１は事前設定の整数）において、目下の伝送での信号の受信を停止する。
【０３２４】
具体的には、ｋ１を例えば３に設定することがある。ｋ１のセットアップは、端末がＤＣＩメッセージ又はＨＡＲＱ−ＡＣＫメッセージを受信した後のｋ１個のサブフレームの間にＤＣＩメッセージ又はＨＡＲＱ−ＡＣＫメッセージを解析し、これによりＤＣＩメッセージ又はＨＡＲＱ−ＡＣＫメッセージによって基地局が目下のＰＵＳＣＨ伝送で信号を首尾よく受信したことが指示されたかどうかを判定するために使用されることがある。
【０３２５】
従来技術では、基地局は一般に端末に対して、ＤＣＩメッセージ又はＨＡＲＱ−ＡＣＫメッセージをサブフレームｐ１＋４又はサブフレームｐ１＋４の後のサブフレームで送信するが、この実施形態では、ＤＣＩメッセージ又はＨＡＲＱ−ＡＣＫメッセージを送信する時点がサブフレームｐ１＋４の前に繰り上げられており、これによって基地局は、端末が伝送を終了できるように目下のＰＵＳＣＨ伝送で信号が首尾よく受信されたことを確認した後の時点で端末に通知を行っており、したがって、伝送リソースを節約することが可能となる。
【０３２６】
図９は、本発明による信号伝送方法の第１５の実施形態の流れ図である。前掲の実施形態に基づいて、ＰＲＡＣＨチャネルでは、この実施形態は、基地局によって伝送サブフレームで信号を受信するための具体的方法をさらに提供する。この実施形態は、基地局によって実行される。図９に示したように、この実施形態による方法は、下記のステップを含むことがある。
【０３２７】
ステップ９０１：時間ウィンドウの開始サブフレームのサブフレーム番号ｗ及び時間ウィンドウの長さを決定する（ここで、時間ウィンドウの開始サブフレームｗはサブフレームｐ２＋３の前にあり、且つｐ２は１つのＰＲＡＣＨ伝送中の最終サブフレームのサブフレーム番号である）。
【０３２８】
ステップ９０１と従来技術の違いは、時間ウィンドウの開始サブフレームが従来技術ではｐ２＋３の後に設定されている一方、この実施形態のステップ９０１では時間ウィンドウの開始サブフレームがｐ２＋３の前に設定されるという点にある。
【０３２９】
さらに具体的には、時間ウィンドウの開始サブフレームｗは、ｔ１及びｔ２が事前設定の整数であり且つｎ２が１つのＰＲＡＣＨ伝送中の開始サブフレームのサブフレーム番号であるとしてｗ＝ｐ２−ｔ１又はｗ＝ｎ２＋ｔ２であることに従って決定されることがある。例えば、あるＰＲＡＣＨ伝送のサブフレームであるＰＲＡＣＨ伝送のサブフレームのサブフレーム番号が不連続の整数（例えば、｛７、８、９、０、１、２、３、４｝）であることがあり、またｔ１又はｔ２の数値は、フレーム時間ウィンドウの開始サブフレームｗが目下のＰＲＡＣＨ伝送で使用されるサブフレーム内にあり且つ目下のＰＲＡＣＨ伝送の最終サブフレームから後の３サブフレーム内に配置されるように目下のＰＲＡＣＨ伝送で使用されるサブフレームに対して適応させ、伝送リソースを節約するという目的を達成することが必要である。
【０３３０】
ステップ９０２：時間ウィンドウ内のサブフレーム番号がｍ２であるサブフレームにおいて、端末にランダム・アクセス応答ＲＡＲを送信する。
【０３３１】
ステップ９０３：サブフレームｍ２＋ｋ２（ｋ２は事前設定の整数）において目下の伝送を終了する。
【０３３２】
具体的には、ｋ２を例えば３に設定することがある。ｋ２は、端末がＲＡＲを受信した後のｋ２個のサブフレームの間でＲＡＲを端末によって解析し、ＲＡＲが目下のＰＲＡＣＨ伝送に対する応答であるかどうか及び基地局によって目下のＰＲＡＣＨ伝送で信号が首尾よく受信されたことをＲＡＲが指示しているかどうかの判定が可能となるように設定される。
【０３３３】
この実施形態では、ＲＡＲの受信のための時間ウィンドウを繰り上げると共に、端末によって基地局が目下のＰＲＡＣＨ伝送で信号を首尾よく受信したと判定された後に目下のＰＲＡＣＨ伝送を前倒しで終了させ、これにより伝送リソースの節約を可能にしている。
【０３３４】
図１０は、本発明による信号伝送方法の第１６の実施形態の流れ図である。この実施形態は、端末によって実行される方法の第８の実施形態に対応する。基地局によって実行される前掲の方法実施形態のうちの任意の１つに基づいて、基地局がそのチャネルで端末によって送信された信号をどのように受信するかの方法についてさらに説明する。図１０に示したように、この実施形態での信号伝送方法は、下記のステップを含むことがある。
【０３３５】
ステップ１００１：端末に対して、チャネルの目標受信電力を含むシステム・メッセージを送信し、これにより端末がチャネルの最大送信電力、経路損失及び目標受信電力に従って、当該信号がそのチャネルにおいて繰り返し係数又は拡張シーケンスを使用することにより送信することを要するかどうかを判定できるようにする。
【０３３６】
具体的な実装形態の間において、１つ若しくは複数の利用可能な繰り返し係数又は１つ若しくは複数の拡張シーケンスについて基地局と端末によってあらかじめ合意されていることがある。
【０３３７】
さらに、利用可能な繰り返し係数又は利用可能な拡張シーケンスの拡張シーケンス識別子はシステム・メッセージ中に含まれることがあり、或いはこの情報は前掲の実施形態９、実施形態１０及び実施形態１１の通知メッセージのうちの任意の１つの中に含まれることがある。利用可能な繰り返し係数又は利用可能な拡張シーケンスはまた、別の方式で指定されることができ、それは本発明の実施形態では限定されない。
【０３３８】
ステップ１００２：チャネルの可能な繰り返し係数又は拡張シーケンスを決定する。
【０３３９】
ステップ１００３：各可能な繰り返し係数の伝送サブフレーム又はチャネルの各可能な拡張シーケンスの長さに対応する伝送サブフレームを決定する。
【０３４０】
ステップ１００４：チャネルの伝送サブフレームを使用することによって信号を受信する。
【０３４１】
基地局は、少なくとも１つの利用可能な繰り返し係数又は少なくとも１つの利用可能な拡張シーケンスをあらかじめ指定すると共に、端末に対して、この少なくとも１つの利用可能な繰り返し係数又は少なくとも１つの利用可能な拡張シーケンスを、例えばステップ１００１のシステム・メッセージを使用することによって送信する。しかし、信号の受信の前に基地局は、端末が繰り返し係数又は拡張シーケンスを使用するかどうかを知ることは不可能であり、且つ端末によってどの繰り返し係数又は拡張シーケンスが選択されるかを知ることは不可能である。したがって、可能なすべての繰り返し係数又は拡張シーケンスに従って決定された伝送サブフレームで信号を同時に受信することが必要である。この方式では、基地局が多くの伝送リソースを消費することになり、したがって具体的な実装形態の間において、限定された数の利用可能な繰り返し係数又は利用可能な拡張シーケンスが実際の条件に従って決定されることがある。
【０３４２】
この実施形態では、基地局は、端末に対してチャネルの目標受信電力を含むメッセージを送信し、これにより端末はそのチャネルが繰り返し係数又は拡張シーケンスを使用することによる拡張を必要とするかどうかを判定することが可能であり、また端末は適当な繰り返し係数又は拡張シーケンスを選択することが可能であり、これにより端末は伝送リソースをより合理的に使用することが可能である。
【０３４３】
図１１は、本発明による信号伝送装置の第１の実施形態の概要構造図である。この実施形態において装置１１００は端末デバイスに組み込まれることがあると共に、対応する端末により実行される前掲の方法実施形態の技術的解決法を実行するように構成される。図１１に示したように、この実施形態の信号伝送装置は、繰り返し係数又は拡張シーケンスを決定するためのモジュール１１と、伝送サブフレーム決定モジュール１２と、送信モジュール１３と、を含むことがあり、ここで、
繰り返し係数又は拡張シーケンスを決定するためのモジュール１１は、チャネルの繰り返し係数又は拡張シーケンスを決定するように構成されており、
伝送サブフレーム決定モジュール１２は、繰り返し係数又は拡張シーケンスの長さに従って、伝送サブフレームであるような時間領域リソースを決定するように構成されており、且つ
送信モジュール１３は、チャネルの伝送サブフレームを使用することによって信号を送信するように構成されている。
【０３４４】
この実施形態による装置の技術的効果としては、この信号伝送装置を組み込んだ端末によればチャネルの繰り返し係数又は拡張シーケンスを使用することにより且つ繰り返し係数又は拡張シーケンスの長さに従って、チャネルの伝送サブフレームの数が増大されて、送信時間が長くなり、これによりチャネルの送信エネルギーが増大すると共にチャネルのカバー域が拡張されることがある。
【０３４５】
図１２は、本発明による信号伝送装置の第２の実施形態の概要構造図である。この実施形態の装置１２００は端末デバイスに組み込まれることがあると共に、対応する端末により実行される前掲の方法実施形態の技術的解決法を実行するように構成される。図１２に示したように、図１１に示した装置に基づいてさらに、この実施形態の信号伝送装置は、チャネルの周波数リソースを決定するように構成された周波数リソース決定モジュール１４をさらに含むことがあり、ここで
これに対応して、送信モジュール１３は、チャネルの周波数リソース及び伝送サブフレームを使用することによって信号を送信するように具体的に構成されている。
【０３４６】
さらに、チャネルを、物理ランダム・アクセス・チャネル（ＰＲＡＣＨ）又は物理上りリンク共有チャネル（ＰＵＳＣＨ）とすることがある。
【０３４７】
さらに、当該チャネルがＰＲＡＣＨである場合に、周波数リソース決定モジュール１４は、
ＰＲＡＣＨの物理リソース・ブロック・オフセット
【０３４８】
（外３８）
2018023150.tif 000048
及びＰＲＡＣＨに対応するリソース・ブロックの数に従ってＰＲＡＣＨの周波数リソースを決定するように、又は
ＰＲＡＣＨの物理リソース・ブロック・オフセット
【０３４９】
（外３９）
2018023150.tif 000049
、ＰＲＡＣＨに対応するリソース・ブロックの数、及びＰＲＡＣＨのサブキャリア・オフセット
【０３５０】
（外４０）
2018023150.tif 000050
に従ってＰＲＡＣＨの周波数リソースを決定するように、
具体的に構成されることがある。
【０３５１】
さらに、ＰＲＡＣＨに対応するリソース・ブロックの数１、２若しくは３とすることがあり、又はｎ／１２（ｎは１２未満の整数）とすることがある。
【０３５２】
具体的には、周波数リソース決定モジュール１４がＰＲＡＣＨの物理リソース・ブロック・オフセット
【０３５３】
（外４１）
2018023150.tif 000051
及びＰＲＡＣＨに対応するリソース・ブロックの数に従ってＰＲＡＣＨの周波数リソースを決定するように構成されているとき、ＰＲＡＣＨに対応するリソース・ブロックの数の最小の細分単位はリソース・ブロック１つとなり、したがって、ＰＲＡＣＨに対応するリソース・ブロックの数を例えば、１、２又は３などの整数とすることがある。また周波数リソース決定モジュール１４がＰＲＡＣＨの物理リソース・ブロック・オフセット
【０３５４】
（外４２）
2018023150.tif 000052
、ＰＲＡＣＨに対応するリソース・ブロックの数、及びＰＲＡＣＨのサブキャリア・オフセット
【０３５５】
（外４３）
2018023150.tif 000053
に従ってＰＲＡＣＨの周波数リソースを決定するように構成されているとき、ＰＲＡＣＨに対応するリソース・ブロックの数の最小の細分単位は１リソース・ブロックが１２個のサブキャリアを含むようなサブキャリア１つとなり、したがって、ＰＲＡＣＨに対応するリソース・ブロックの数を、例えば１／１２、１／２、１／４又は５／１２などｎ／１２とすることがある。
【０３５６】
従来技術では、ＰＲＡＣＨに対応するリソース・ブロックの数は一般に６であるが、この実施形態の信号伝送装置では、周波数リソース割当ての細分単位を、端末がより柔軟な信号を送信するときに、より細かくできることが確認できよう。
【０３５７】
さらに、当該チャネルがＰＵＳＣＨである場合に、周波数リソース決定モジュール１４は、
ＰＵＳＣＨのリソース・ブロック指示及びリソース・エレメント・セット指示に従ってＰＵＳＣＨの周波数リソースを決定するように具体的に構成されることがある。
【０３５８】
さらに、ＰＵＳＣＨのリソース・エレメント・セット指示が、仮想サブキャリアを決定するために使用されている。
【０３５９】
図１３は、本発明による信号伝送装置の第３の実施形態の概要構造図である。この実施形態の装置１３００は、端末デバイスに組み込まれることがあると共に、対応する端末により実行される前掲の方法実施形態の技術的解決法を実行するように構成される。図１３に示したように、前掲の装置に基づいてさらに、この実施形態の信号伝送装置は、通知メッセージ受信モジュール１５をさらに含むことがあり、ここで
通知メッセージ受信モジュール１５が、基地局によって送信された、チャネルの繰り返し係数を含む通知メッセージを受信するように構成されることがあり、且つ繰り返し係数又は拡張シーケンスを決定するためのモジュール１１が、通知メッセージに含まれるチャネルの繰り返し係数を取得すると共に、繰り返し係数を決定するように具体的に構成されることがあり、或いは
通知メッセージ受信モジュール１５が、基地局によって送信された、拡張シーケンス識別子を含む通知メッセージを受信するように構成されることがあり、且つ繰り返し係数又は拡張シーケンスを決定するためのモジュール１１が拡張シーケンス識別子に従って拡張シーケンスを決定するように具体的に構成されることがある。
【０３６０】
さらに、当該チャネルがＰＲＡＣＨである場合に、通知メッセージは、ＰＲＡＣＨの物理リソース・ブロック・オフセット
【０３６１】
（外４４）
2018023150.tif 000054
及びサブキャリア・オフセット
【０３６２】
（外４５）
2018023150.tif 000055
をさらに含み、これにより端末が物理リソース・ブロック・オフセット
【０３６３】
（外４６）
2018023150.tif 000056
及びサブキャリア・オフセット
【０３６４】
（外４７）
2018023150.tif 000057
に従ってＰＲＡＣＨの周波数リソースを決定できるようにすることがある。
【０３６５】
さらに、当該チャネルがＰＵＳＣＨである場合に、通知メッセージは、ＰＵＳＣＨのリソース・ブロック指示及びリソース・エレメント・セット指示をさらに含み、これにより、端末がＰＵＳＣＨのリソース・ブロック指示及びリソース・エレメント・セット指示に従ってＰＵＳＣＨの周波数リソースを決定できるようにすることがある。
【０３６６】
さらに、通知メッセージに含まれるチャネルの周波数リソースは、少なくとも１つの繰り返し係数又は少なくとも１つの拡張シーケンス識別子に対応することがある。
【０３６７】
さらに、当該チャネルがＰＲＡＣＨである場合に、通知メッセージをシステム情報ブロック（ＳＩＢ）メッセージ及び／又は下りリンク制御情報（ＤＣＩ）メッセージとすることがある。
【０３６８】
具体的には、通知メッセージがＳＩＢメッセージである場合に、ＰＲＡＣＨの周波数リソースの情報又はＰＲＡＣＨの繰り返し係数若しくは拡張シーケンス識別子が、ＳＩＢメッセージの物理ランダム・アクセス・チャネル構成情報ＰＲＡＣＨ−ＣｏｎｆｉｇＩｎｆｏフィールド、又は物理ランダム・アクセス・チャネル・マシン・タイプ通信構成情報ＰＲＡＣＨ−ＣｏｎｆｉｇＩｎｆｏＭＴＣフィールドに配置されることがある。
【０３６９】
別法として、通知メッセージがＤＣＩメッセージである場合に、ＰＲＡＣＨの周波数リソースの情報又はＰＲＡＣＨの繰り返し係数若しくは拡張シーケンス識別子がＤＣＩメッセージの拡張フィールドに配置されることがあり、或いはＰＲＡＣＨの繰り返し係数若しくは拡張シーケンス識別子がＰＲＡＣＨのプリアンブル・インデックスとのジョイント符号化を通じて指示されることがある。
【０３７０】
別法として、通知メッセージをＳＩＢメッセージ又はＤＣＩメッセージとすることがあり、且つ通知メッセージ受信モジュール１５がＳＩＢ受信ユニット１５１と第１のＤＣＩ受信ユニット１５２とを含むことがあり、ここで、
ＳＩＢ受信ユニット１５１は、ＰＲＡＣＨの一群の周波数リソースの情報又はＰＲＡＣＨの一群の繰り返し係数又は一群の拡張シーケンス識別子を含むＳＩＢメッセージを受信するように構成されることがあり、且つ
第１のＤＣＩ受信ユニット１５２は、ＰＲＡＣＨの一群の周波数リソースの情報中の１つの周波数リソースの情報又はＰＲＡＣＨの一群の繰り返し係数中の１つの繰り返し係数又は一群の拡張シーケンス識別子中の１つの拡張シーケンス識別子を含むＤＣＩメッセージを受信するように構成されることがある。
【０３７１】
さらに、別法として、当該チャネルがＰＵＳＣＨである場合に、通知メッセージをＲＲＣメッセージ又はＤＣＩメッセージとすることがある。
【０３７２】
具体的には、通知メッセージがＲＲＣメッセージである場合に、ＰＵＳＣＨの周波数リソースの情報又はＰＵＳＣＨの繰り返し係数若しくは拡張シーケンス識別子が、ＲＲＣメッセージの物理上りリンク共有チャネル構成ＰＵＳＣＨ−Ｃｏｎｆｉｇフィールド又は物理上りリンク共有チャネル専用構成ＰＵＳＣＨ−ＣｏｎｆｉｇＤｅｄｉｃａｔｅｄフィールドに配置されることがある。
【０３７３】
別法として、通知メッセージがＤＣＩメッセージである場合に、ＰＵＳＣＨの周波数リソースの情報又はＰＵＳＣＨの繰り返し係数若しくは拡張シーケンス識別子がＤＣＩメッセージの拡張フィールドに配置されることがあり、或いはＰＵＳＣＨのリソース・エレメント・セット指示又は繰り返し係数若しくは拡張シーケンス識別子が、ＰＵＳＣＨのリソース・ブロック指示情報とのジョイント符号化を通じて指示されることがある。
【０３７４】
別法として、通知メッセージをＲＲＣメッセージ又はＤＣＩメッセージとすることがあり、且つ通知メッセージ受信モジュール１５がＲＲＣ受信ユニット１５３と第２のＤＣＩ受信ユニット１５４とを含むことがあり、ここで、
ＲＲＣ受信ユニット１５３はＰＵＳＣＨの一群の周波数リソースの情報又はＰＵＳＣＨの繰り返し係数又は拡張シーケンス識別子を含むＲＲＣメッセージを受信するように構成されることがあり、且つ
第２のＤＣＩ受信ユニット１５４は、ＰＵＳＣＨの一群の周波数リソースの情報中の１つの周波数リソースの情報又はＰＵＳＣＨの一群の繰り返し係数中の１つの繰り返し係数又は一群の拡張シーケンス識別子中の１つの拡張シーケンス識別子を含むＤＣＩメッセージを受信するように構成されることがある。
【０３７５】
この実施形態の装置は、本発明による方法実施形態のうちの任意の１つの技術的解決法を実行するように構成されることがあり、対応する機能モジュールを有しており、且つ同様の実装形態原理及び技術的効果を有しており、ここでは繰り返さない。
【０３７６】
図１４は、本発明による信号伝送装置の第４の実施形態の概要構造図である。この実施形態の装置１４００は、端末デバイスに組み込まれることがあると共に、対応する端末により実行される前掲の方法実施形態の技術的解決法を実行するように構成される。図１４に示したように、前掲の装置に基づいて、この実施形態の信号伝送装置ではさらに、繰り返し係数又は拡張シーケンスを決定するためのモジュール１１は、目標電力取得ユニット１１１と、判断ユニット１１２と、決定ユニット１１３と、を含むことがあり、ここで
目標電力取得ユニット１１１は、基地局によって送信された、チャネルの目標受信電力を含むシステム・メッセージを受信するように構成されることがあり、
判断ユニット１１２は、チャネルの最大送信電力、経路損失及び目標受信電力に従って、当該チャネルが繰り返し係数又は拡張シーケンスを使用することによって送信することを要するかどうかを判定するように構成されることがあり、且つ
決定ユニット１１３は、諾の場合に、チャネルの繰り返し係数を決定すること、又はチャネルの拡張シーケンスの長さを決定すると共に、この拡張シーケンスの長さに対応する拡張シーケンスを決定すること、を行うように構成されることがある。
【０３７７】
さらに、決定ユニットは、
チャネルの最大送信電力、経路損失及び目標受信電力に従って、チャネルの繰り返し係数を決定すること、又はチャネルの拡張シーケンスの長さを決定すると共に、この拡張シーケンスの長さに対応する拡張シーケンスを決定すること、を行うように具体的に構成されることがある。
【０３７８】
さらに、拡張シーケンスをウォルシュ（Ｗａｌｓｈ）・シーケンスとすることがあり、又は拡張シーケンスを疑似ノイズ（ＰＮ）シーケンスから作成したシーケンスとすることがある。
【０３７９】
さらに、拡張シーケンスがＰＮシーケンスから作成されたシーケンスであることは、
拡張シーケンスを、端末が位置しているセルのセル識別子及び／又は無線ネットワーク一時的識別子をＰＮシーケンスの初期化パラメータとして使用することによって作成されたシーケンスとし得ること、或いは
拡張シーケンスを、拡張シーケンス識別子、並びに端末が位置しているセルのセル識別子及び／又は無線ネットワーク一時的識別子をＰＮシーケンスの初期化パラメータとして使用することによって作成されたシーケンスとし得ること、
を含むことがある。
【０３８０】
この実施形態の装置は、本発明による方法実施形態のうちの任意の１つの技術的解決法を実行するように構成されることがあり、対応する機能モジュールを有しており、且つ同様の実装形態原理及び技術的効果を有しており、ここでは繰り返さない。
【０３８１】
図１５Ａ及び図１５Ｂは、本発明による信号伝送装置の第５の実施形態の概要構造図である。この実施形態の装置１５００は、端末デバイスに組み込まれることがあると共に、対応する端末により実行される前掲の方法実施形態の技術的解決法を実行するように構成される。図１５Ａ及び図１５Ｂに示したように、前掲の装置に基づいて、この実施形態の信号伝送装置ではさらに、伝送サブフレーム決定モジュール１２は、伝送サブフレーム数決定ユニット１２１と伝送サブフレーム決定ユニット１２２とを含むことがあり、ここで当該チャネルがＰＵＳＣＨである場合に、
伝送サブフレーム数決定ユニット１２１は、繰り返し係数又は拡張シーケンスの長さに従うと共にＰＲＡＣＨのフォーマットに従って時間領域リソースの数Ｎを決定するように構成されることがあり、且つ
伝送サブフレーム決定ユニット１２２は、ランダム・アクセス構成インデックス及び伝送サブフレーム数Ｎに従って伝送サブフレームを決定するように構成されることがある。
【０３８２】
さらに、伝送サブフレーム決定ユニット１２２は、
ランダム・アクセス構成インデックスに従って無線フレーム内のＰＲＡＣＨの利用可能なサブフレーム番号を決定するように、且つ
少なくとも１つの無線フレーム内の利用可能なサブフレーム番号を巡回式に使用すると共に、Ｎ個の対応するサブフレームを伝送サブフレームとして決定すること、又は無線フレーム内にあると共に利用可能なサブフレーム番号のうちの任意の１つに対応するサブフレームを開始サブフレームとして使用し、この開始サブフレームから始まる連続するＮ個のサブフレームを伝送サブフレームとして選択すること、を行うように、
具体的に構成されることがある。
【０３８３】
さらに、送信モジュール１３は、時間ウィンドウ決定ユニット１３１と、ＲＡＲ受信ユニット１３２と、第２の終了ユニット１３３と、を含んでおり、ここで
時間ウィンドウ決定ユニット１３１は、時間ウィンドウの開始サブフレームｗがサブフレームｐ２＋３の前にあり且つｐ２が１つのＰＲＡＣＨ伝送中の最終サブフレームのサブフレーム番号であるような時間ウィンドウの開始サブフレームのサブフレーム番号ｗ及び時間ウィンドウの長さを決定するように構成されることがあり、
ＲＡＲ受信ユニット１３２は、時間ウィンドウ内のサブフレーム番号がｍ２であるサブフレームにおいて、基地局によって送信されたランダム・アクセス応答ＲＡＲを受信するように構成されることがあり、且つ
第２の終了ユニット１３３は、サブフレームｍ２＋ｋ２（ｋ２は事前設定の整数）において目下の伝送を終了するように構成されることがある。
【０３８４】
さらに、時間ウィンドウ決定ユニット１３１は、時間ウィンドウの開始サブフレームを決定するためのサブユニット１３１１を含むことがあり、ここで時間ウィンドウの開始サブフレームを決定するためのサブユニット１３１１は、ｔ１及びｔ２が事前設定の整数であり且つｎ２が１つのＰＲＡＣＨ伝送中の開始サブフレームのサブフレーム番号であるとしてｗ＝ｐ２−ｔ１又はｗ＝ｎ２＋ｔ２であることに従って時間ウィンドウの開始サブフレームｗを決定するように具体的に構成されることがある。
【０３８５】
さらに、ＰＵＳＣＨチャネルをサポートするために、
伝送サブフレーム数決定ユニット１２１は、繰り返し係数又は拡張シーケンスの長さに従うと共にＰＵＳＣＨのフォーマットに従って伝送サブフレーム数Ｎを決定するように構成されることがあり、且つ
伝送サブフレーム決定ユニット１２２は、原初ＰＵＳＣＨの伝送サブフレームを開始サブフレームｍとして使用し、この開始サブフレームｍから始まる連続するＮ個のサブフレームを伝送サブフレームとして選択するように構成されることがある。
【０３８６】
さらに、送信モジュール１３は、ＨＡＲＱ−ＡＣＫメッセージ受信ユニット１３４と第１の終了ユニット１３５とを含むことがあり、ここで
ＨＡＲＱ−ＡＣＫメッセージ受信ユニット１３４は、サブフレーム番号がｍ１であるサブフレームにおいて、基地局によって送信されたＤＣＩメッセージ又は混成自動反復要求−肯定応答ＨＡＲＱ−ＡＣＫメッセージを受信するように構成されており、サブフレームｍ１はサブフレームｐ１＋４の前にあり且つｐ１は１つのＰＵＳＣＨ伝送中の最終サブフレームのサブフレーム番号であり、且つ
第１の終了ユニット１３５は、ＤＣＩメッセージ又はＨＡＲＱ−ＡＣＫメッセージによって基地局が目下のＰＵＳＣＨ伝送で信号を首尾よく受信したことが指示された場合に、サブフレームｍ１＋ｋ１（ｋ１は事前設定の整数）において目下の伝送を終了するように構成されている。
【０３８７】
この実施形態の装置は、本発明による方法実施形態のうちの任意の１つの技術的解決法を実行するように構成されることがあり、対応する機能モジュールを有しており、且つ同様の実装形態原理及び技術的効果を有しており、ここでは繰り返さない。
【０３８８】
図１６は、本発明による信号伝送装置の第６の実施形態の概要構造図である。この実施形態の装置１６００は、基地局に組み込まれることがあると共に、対応する基地局によって実行される前掲の方法実施形態の技術的解決法を実行するように構成される。図１６に示したように、この実施形態の信号伝送装置は、繰り返し係数又は拡張シーケンスを決定するためのモジュール２１と、伝送サブフレーム決定モジュール２２と、受信モジュール２３と、を含むことがあり、ここで
繰り返し係数又は拡張シーケンスを決定するためのモジュール２１は、チャネルの繰り返し係数又は拡張シーケンスを決定するように構成されることがあり、
伝送サブフレーム決定モジュール２２は、繰り返し係数又は拡張シーケンスの長さに従って、伝送サブフレームであるような時間領域リソースを決定するように構成されることがあり、且つ
受信モジュール２３は、チャネルの伝送サブフレームを使用することによって信号を受信するように構成されることがある。
【０３８９】
この実施形態による装置の技術的効果としては、信号伝送装置を組み込んだ基地局によれば、チャネルの繰り返し係数又は拡張シーケンスを使用することにより且つ繰り返し係数又は拡張シーケンスの長さに従ってチャネルの伝送サブフレーム数が増大して、受信時間が長くなり、これによりチャネルの受信エネルギーが増大すると共にチャネルのカバー域が拡大することがある。
【０３９０】
図１７は、本発明による信号伝送装置の第７の実施形態の概要構造図である。この実施形態の装置１７００は、基地局に組み込まれることがあると共に、対応する基地局によって実行される前掲の方法実施形態の技術的解決法を実行するように構成される。図１７に示したように、図１６に示した装置に基づいてさらに、この実施形態の信号伝送装置は、周波数リソース決定モジュール２４をさらに含むことがあり、ここで
周波数リソース決定モジュール２４はチャネルの周波数リソースを決定するように構成されることがあり、またここで
これに対応して、受信モジュール２３は、チャネルの周波数リソース及び伝送サブフレームを使用することによって信号を受信するように具体的に構成されることがある。
【０３９１】
さらに、チャネルは、物理ランダム・アクセス・チャネル（ＰＲＡＣＨ）又は物理上りリンク共有チャネル（ＰＵＳＣＨ）である。
【０３９２】
さらに、当該チャネルがＰＲＡＣＨである場合に、周波数リソース決定モジュール２４は、
ＰＲＡＣＨの物理リソース・ブロック・オフセット
【０３９３】
（外４８）
2018023150.tif 000058
及びＰＲＡＣＨに対応するリソース・ブロックの数に従ってＰＲＡＣＨの周波数リソースを決定するように、又は
ＰＲＡＣＨの物理リソース・ブロック・オフセット
【０３９４】
（外４９）
2018023150.tif 000059
、ＰＲＡＣＨに対応するリソース・ブロックの数、及びＰＲＡＣＨのサブキャリア・オフセット
【０３９５】
（外５０）
2018023150.tif 000060
に従ってＰＲＡＣＨの周波数リソースを決定するように、
具体的に構成されることがある。
【０３９６】
さらに、ＰＲＡＣＨに対応するリソース・ブロックの数は、１、２若しくは３、又はｎ／１２（ｎは１２未満の整数）である。
【０３９７】
具体的には、周波数リソース決定モジュール２４がＰＲＡＣＨの物理リソース・ブロック・オフセット
【０３９８】
（外５１）
2018023150.tif 000061
及びＰＲＡＣＨに対応するリソース・ブロックの数に従ってＰＲＡＣＨの周波数リソースを決定するように構成されているとき、ＰＲＡＣＨに対応するリソース・ブロックの数の最小の細分単位はリソース・ブロック１つとなり、したがって、ＰＲＡＣＨに対応するリソース・ブロックの数を例えば、１、２又は３などの整数とすることがある。また周波数リソース決定モジュール１４がＰＲＡＣＨの物理リソース・ブロック・オフセット
【０３９９】
（外５２）
2018023150.tif 000062
、ＰＲＡＣＨに対応するリソース・ブロックの数、及びＰＲＡＣＨのサブキャリア・オフセット
【０４００】
（外５３）
2018023150.tif 000063
に従ってＰＲＡＣＨの周波数リソースを決定するように構成されているとき、ＰＲＡＣＨに対応するリソース・ブロックの数の最小の細分単位は１リソース・ブロックが１２個のサブキャリアを含むようなサブキャリア１つとなり、したがって、ＰＲＡＣＨに対応するリソース・ブロックの数を例えば１／１２、１／２、１／４又は５／１２などｎ／１２とすることがある。
【０４０１】
従来技術では、ＰＲＡＣＨに対応するリソース・ブロックの数は一般に６であるが、この実施形態の信号伝送装置では、周波数リソース割当ての細分単位を、より柔軟な信号伝送の間で、より細かくできることが確認できよう。
【０４０２】
さらに、当該チャネルがＰＵＳＣＨである場合に、周波数リソース決定モジュール２４は、
ＰＵＳＣＨのリソース・ブロック指示及びリソース・エレメント・セット指示に従ってＰＵＳＣＨの周波数リソースを決定するように具体的に構成されることがある。
【０４０３】
さらに、ＰＵＳＣＨのリソース・エレメント・セット指示が、仮想サブキャリアを決定するために使用されている。
【０４０４】
図１８は、本発明による信号伝送装置の第８の実施形態の概要構造図である。この実施形態の装置１８００は、基地局に組み込まれることがあると共に、対応する基地局によって実行される前掲の方法実施形態の技術的解決法を実行するように構成される。図１８に示したように、図１７に示した前掲の装置に基づいてさらに、この実施形態の信号伝送装置は、通知メッセージ送信モジュール２５をさらに含むことがあり、ここで、
通知メッセージ送信モジュール２５は端末に対して、チャネルの繰り返し係数又は拡張シーケンス識別子を含む通知メッセージを送信し、これにより当該通知メッセージに従ってチャネルの繰り返し係数又は拡張シーケンスを決定するように端末に指令するように構成されることがある。
【０４０５】
さらに、当該チャネルがＰＲＡＣＨである場合に、通知メッセージはＰＲＡＣＨの物理リソース・ブロック・オフセット
【０４０６】
（外５４）
2018023150.tif 000064
及びＰＲＡＣＨのサブキャリア・オフセット
【０４０７】
（外５５）
2018023150.tif 000065
をさらに含むことがあり、これにより端末が通知メッセージに従ってＰＲＡＣＨの周波数リソースを決定できるようにしている。
【０４０８】
さらに、当該チャネルがＰＵＳＣＨである場合に、通知メッセージは、ＰＵＳＣＨのリソース・ブロック指示及びリソース・エレメント・セット指示をさらに含むことがあり、ＰＵＳＣＨのリソース・ブロック指示及びリソース・エレメント・セット指示は端末に対して送信された通知メッセージに含まれ、これにより端末が通知メッセージに従ってＰＵＳＣＨの周波数リソースを決定できるようにしている。
【０４０９】
さらに、通知メッセージに含まれるチャネルの周波数リソースは、少なくとも１つの繰り返し係数又は少なくとも１つの拡張シーケンス識別子に対応することがある。
【０４１０】
さらに、当該チャネルがＰＲＡＣＨである場合に、通知メッセージが、システム情報ブロック（ＳＩＢ）メッセージ及び／又は下りリンク制御情報（ＤＣＩ）メッセージである。
【０４１１】
具体的には、通知メッセージがＳＩＢメッセージである場合に、ＰＲＡＣＨの周波数リソースの情報又はＰＲＡＣＨの繰り返し係数若しくは拡張シーケンス識別子が、ＳＩＢメッセージの物理ランダム・アクセス・チャネル構成情報ＰＲＡＣＨ−ＣｏｎｆｉｇＩｎｆｏフィールド、又は物理ランダム・アクセス・チャネル・マシン・タイプ通信構成情報ＰＲＡＣＨ−ＣｏｎｆｉｇＩｎｆｏＭＴＣフィールドに配置されている。
【０４１２】
別法として、通知メッセージがＤＣＩメッセージである場合に、ＰＲＡＣＨの周波数リソースの情報又はＰＲＡＣＨの繰り返し係数若しくは拡張シーケンス識別子がＤＣＩメッセージの拡張フィールドに配置されるか、或いはＰＲＡＣＨの繰り返し係数若しくは拡張シーケンス識別子がＰＲＡＣＨのプリアンブル・インデックスとのジョイント符号化を通じて指示されている。
【０４１３】
別法として、通知メッセージをＳＩＢメッセージ又はＤＣＩメッセージとすることがあり、また通知メッセージ送信モジュール２５はＳＩＢ送信ユニット２５１と第１のＤＣＩ送信ユニット２５２とを含むことがあり、ここで
ＳＩＢ送信ユニット２５１は端末に対して、ＰＲＡＣＨの一群の周波数リソースの情報又はＰＲＡＣＨの一群の繰り返し係数又は一群の拡張シーケンス識別子を含むＳＩＢメッセージを送信するように構成されることがあり、且つ
第１のＤＣＩ送信ユニット２５２は端末に対して、ＰＲＡＣＨの一群の周波数リソースの情報中の１つの周波数リソースの情報又はＰＲＡＣＨの一群の繰り返し係数中の１つの繰り返し係数又は一群の拡張シーケンス識別子中の１つの拡張シーケンス識別子を含むＤＣＩメッセージを送信するように構成されることがある。
【０４１４】
さらに、別法として、当該チャネルがＰＵＳＣＨである場合に、通知メッセージをＲＲＣメッセージ又はＤＣＩメッセージとすることがある。
【０４１５】
具体的には、通知メッセージがＲＲＣメッセージである場合に、ＰＵＳＣＨの周波数リソースの情報又はＰＵＳＣＨの繰り返し係数若しくは拡張シーケンス識別子が、ＲＲＣメッセージの物理上りリンク共有チャネル構成ＰＵＳＣＨ−Ｃｏｎｆｉｇフィールド又は物理上りリンク共有チャネル専用構成ＰＵＳＣＨ−ＣｏｎｆｉｇＤｅｄｉｃａｔｅｄフィールドに配置されている。
【０４１６】
別法として、通知メッセージがＤＣＩメッセージである場合に、ＰＵＳＣＨの周波数リソースの情報又はＰＵＳＣＨの繰り返し係数若しくは拡張シーケンス識別子がＤＣＩメッセージの拡張フィールドに配置されるか、或いはＰＵＳＣＨのリソース・エレメント・セット指示又は繰り返し係数若しくは拡張シーケンス識別子が、ＰＵＳＣＨのリソース・ブロック指示情報とのジョイント符号化を通じて指示されている。
【０４１７】
別法として、通知メッセージをＲＲＣメッセージ又はＤＣＩメッセージとすることがあり、また通知メッセージ送信モジュール２５がＲＲＣ送信ユニット２５３と第２のＤＣＩ送信ユニット２５４とを含むことがあり、ここで
ＲＲＣ送信ユニット２５３は端末に対して、ＰＵＳＣＨの一群の周波数リソースの情報又はＰＵＳＣＨの一群の繰り返し係数又は一群の拡張シーケンス識別子を含むＲＲＣメッセージを送信するように構成されることがあり、且つ
第２のＤＣＩ送信ユニット２５４は端末に対して、ＰＵＳＣＨの一群の周波数リソースの情報中の１つの周波数リソースの情報又はＰＵＳＣＨの一群の繰り返し係数中の１つの繰り返し係数又は一群の拡張シーケンス識別子中の１つの拡張シーケンス識別子を含むＤＣＩメッセージを送信するように構成されることがある。
【０４１８】
この実施形態の装置は、本発明による方法実施形態のうちの任意の１つの技術的解決法を実行するように構成されることがあり、対応する機能モジュールを有しており、且つ同様の実装形態原理及び技術的効果を有しており、ここでは繰り返さない。
【０４１９】
図１９は、本発明による信号伝送装置の第９の実施形態の概要構造図である。この実施形態の装置１９００は、基地局に組み込まれることがあると共に、対応する基地局によって実行される前掲の方法実施形態の技術的解決法を実行するように構成される。図１９に示したように、前掲の装置に基づいてさらに、この実施形態の信号伝送装置は、目標電力送信モジュール２６をさらに含むことがあり、ここで
目標電力送信モジュール２６は端末に対して、チャネルの目標受信電力を含むシステム・メッセージを送信し、これにより端末がチャネルの最大送信電力、経路損失及び目標受信電力に従って、当該信号がそのチャネルにおいて繰り返し係数又は拡張シーケンスを使用することにより送信することを要するかどうかを判定できるように構成されることがある。
【０４２０】
さらに、システム・メッセージは利用可能な繰り返し係数をさらに含むことや、利用可能な拡張シーケンスの拡張シーケンス識別子をさらに含むことがあり、且つ当該拡張シーケンス及び拡張シーケンス識別子は拡張シーケンスの長さに対応する。
【０４２１】
さらに、チャネルの繰り返し係数又は拡張シーケンスの数量を少なくとも２とすることがあり、且つ
伝送サブフレーム決定モジュール２２は、この少なくとも２つの繰り返し係数に対応する伝送サブフレームを決定するか、又は各拡張シーケンスの長さを決定すると共に伝送サブフレームを決定するように具体的に構成されることがあり、且つ
受信モジュール２３は、チャネルの少なくとも２つの繰り返し係数に対応する伝送サブフレームにおいて又は拡張シーケンスの長さに従って決定された伝送サブフレームにおいて信号を受信するように具体的に構成されることがある。
【０４２２】
さらに、当該拡張シーケンスがウォルシュ（Ｗａｌｓｈ）・シーケンスであるか、又は当該拡張シーケンスが疑似ノイズ（ＰＮ）シーケンスから作成されたシーケンスである。
【０４２３】
さらに具体的には、拡張シーケンスを、端末が位置しているセルのセル識別子及び／又は無線ネットワーク一時的識別子をＰＮシーケンスの初期化パラメータとして使用することによって作成されたシーケンスすることがあり、或いは
拡張シーケンスを、拡張シーケンス識別子、並びに端末のサービングセルのセル識別子及び／又は無線ネットワーク一時的識別子をＰＮシーケンスの初期化パラメータとして使用することによって作成されたシーケンスすることがある。
【０４２４】
この実施形態の装置は、本発明による方法実施形態のうちの任意の１つの技術的解決法を実行するように構成されることがあり、対応する機能モジュールを有しており、且つ同様の実装形態原理及び技術的効果を有しており、ここでは繰り返さない。
【０４２５】
図２０Ａ及び図２０Ｂは、本発明による信号伝送装置の第１０の実施形態の概要構造図である。この実施形態の装置２０００は、基地局に組み込まれることがあると共に、対応する基地局によって実行される前掲の方法実施形態の技術的解決法を実行するように構成される。図２０Ａ及び図２０Ｂに示したように、前掲の装置に基づいて、この実施形態の信号伝送装置ではさらに、伝送サブフレーム決定モジュール２２は、伝送サブフレーム数ユニット２２１と、伝送サブフレーム決定ユニット２２２と、を含むことがあり、ここでＰＲＡＣＨチャネルをサポートするために、
伝送サブフレーム数ユニット２２１は、繰り返し係数又は拡張シーケンスの長さに従うと共にＰＲＡＣＨのフォーマットに従って伝送サブフレーム数Ｎを決定するように構成されることがあり、且つ
伝送サブフレーム決定ユニット２２２は、ランダム・アクセス構成インデックス及び伝送サブフレーム数Ｎに従って伝送サブフレームを決定するように構成されることがある。
【０４２６】
さらに、伝送サブフレーム決定ユニット２２２は、
ランダム・アクセス構成インデックスに従って無線フレーム内のＰＲＡＣＨの利用可能なサブフレーム番号を決定するように、且つ
少なくとも１つの無線フレーム内の利用可能なサブフレーム番号を巡回式に使用すると共に、Ｎ個の対応するサブフレームを伝送サブフレームとして決定すること、又は無線フレーム内にあると共に利用可能なサブフレーム番号のうちの任意の１つに対応するサブフレームを開始サブフレームとして使用し、この開始サブフレームから始まる連続するＮ個のサブフレームを伝送サブフレームとして選択すること、を行うように、
具体的に構成されることがある。
【０４２７】
さらに、受信モジュール２３は、時間ウィンドウ決定ユニット２３１と、ＲＡＲ送信ユニット２３２と、第２の終了ユニット２３３と、を含むことがあり、ここで
時間ウィンドウ決定ユニット２３１は、時間ウィンドウの開始サブフレームのサブフレーム番号ｗ及び時間ウィンドウの長さを決定する（ここで、時間ウィンドウの開始サブフレームｗがサブフレームｐ２＋３の前にあり且つｐ２が１つのＰＲＡＣＨ伝送中の最終サブフレームのサブフレーム番号）ように構成されることがあり、
ＲＡＲ送信ユニット２３２は、時間ウィンドウ内のサブフレーム番号がｍ２であるサブフレームにおいて端末にランダム・アクセス応答ＲＡＲを送信するように構成されることがあり、且つ
第２の終了ユニット２３３は、サブフレームｍ２＋ｋ２（ｋ２は事前設定の整数）において目下の伝送での信号の受信を停止するように構成されることがある。
【０４２８】
さらに、時間ウィンドウ決定ユニット２３１は、時間ウィンドウの開始サブフレームを決定するためのサブユニット２３１１を含むことがあり、ここで時間ウィンドウの開始サブフレームを決定するためのサブユニット２３１１は、ｔ１及びｔ２が事前設定の整数であり且つｎ２が１つのＰＲＡＣＨ伝送中の開始サブフレームのサブフレーム番号であるとしてｗ＝ｐ−ｔ１又はｗ＝ｎ＋ｔ２であることに従って時間ウィンドウの開始サブフレームｗを決定するように具体的に構成されることがある。
【０４２９】
さらに、ＰＵＳＣＨチャネルをサポートするために、
伝送サブフレーム数ユニット２２１は、繰り返し係数又は拡張シーケンスの長さに従うと共にＰＵＳＣＨのフォーマットに従って伝送サブフレーム数Ｎを決定するように構成されることがあり、且つ
伝送サブフレーム決定ユニット２２２は、原初ＰＵＳＣＨの伝送サブフレームを開始サブフレームとして使用し、この開始サブフレームから始まる連続するＮ個のサブフレームを伝送サブフレームとして選択するように構成されることがある。
【０４３０】
さらに、受信モジュール２３は、ＨＡＲＱ−ＡＣＫメッセージ送信ユニット２３４と第１の終了ユニット２３５とを含むことがあり、ここで、
ＨＡＲＱ−ＡＣＫメッセージ送信ユニット２３４は、サブフレーム番号がｍ１であるサブフレームにおいて、端末に対して、基地局が目下のＰＵＳＣＨ伝送で信号を首尾よく受信したことを指示するＤＣＩメッセージ又は混成自動反復要求−肯定応答ＨＡＲＱ−ＡＣＫメッセージを送信するように構成されており、サブフレームｍ１はサブフレームｐ１＋４の前にあり且つｐ１は１つのＰＵＳＣＨ伝送中の最終サブフレームのサブフレーム番号であり、且つ
第１の終了ユニット２３５は、サブフレームｍがサブフレームｐ＋４の前にあり且つｋ１が事前設定の整数であるとしてサブフレームｍ１＋ｋ１において、目下の伝送での信号の受信を停止するように構成されている。
【０４３１】
図２１は、本発明に従った通信システムの一実施形態の概要構造図である。図２１に示したように、この実施形態の通信システム２１００は、少なくとも１つの端末と１つの基地局を含むことがある。ここで、端末は、図１１〜図１５Ａ及び図１５Ｂに示した信号伝送装置の実施形態のうちの任意の１つの装置を含むことがあり、これに対応して対応する端末が実行する方法実施形態のうちの任意の１つの技術的解決法を実行可能であり、且つ同様の実装形態原理及び技術的効果を有しており、ここでは繰り返さない。また基地局は、図１６〜図２０Ａ及び図２０Ｂに示したような装置実施形態のうちの任意の１つの装置を含むことがあり、対応する基地局が実行する方法実施形態のうちの任意の１つの技術的解決法をこれに対応して実行可能であり、且つ同様の実装形態原理及び技術的効果を有しており、ここでは繰り返さない。
【０４３２】
図２２は、本発明に従った端末の一実施形態の概要構造図である。図２２に示したように、この実施形態の端末２２００は、受信機２２０１と、送信機２２０２と、メモリ２２０３と、プロセッサ２２０４と、を含むことがあり、ここで
メモリ２２０３は、命令を記憶するように構成されており、
プロセッサ２２０４はメモリ２２０３と結合されており、プロセッサ２２０４はメモリ２２０３に記憶された命令を実行するように構成されており、且つプロセッサ２２０４は対応する端末が実行する信号伝送方法の実施形態のうちの任意の１つの技術的解決法を実行するように構成されており、
受信機２２０１は、プロセッサ２２０４の命令に従って、基地局が送信した通知メッセージ、システム・メッセージ、その他を受信するように構成されており、且つ
送信機２２０２は、プロセッサ２２０４の命令に従って、基地局に信号を送信するように構成されている。
【０４３３】
図２３は、本発明に従った基地局の一実施形態の概要構造図である。図２３に示したように、この実施形態の基地局２３００は、受信機２３０１と、送信機２３０２と、メモリ２３０３と、プロセッサ２３０４と、を含むことがあり、ここで
メモリ２３０３は、命令を記憶するように構成されており、
プロセッサ２３０４はメモリ２３０３と結合されており、プロセッサ２３０４はメモリ２３０３に記憶された命令を実行するように構成されており、且つプロセッサ２３０４は対応する端末が実行する信号伝送方法の実施形態のうちの任意の１つの技術的解決法を実行するように構成されており、
受信機２３０１は、プロセッサ２３０４の命令に従って、端末が送信した信号を受信するように構成されており、且つ
送信機２３０２は、プロセッサ２３０４の命令に従って、端末に通知メッセージ、システム・メッセージ、その他を送信するように構成されている。
【０４３４】
この実施形態の装置は、本発明による方法実施形態のうちの任意の１つの技術的解決法を実行するように構成されることがあり、対応する機能モジュールを有しており、且つ同様の実装形態原理及び技術的効果を有しており、ここでは繰り返さない。
【０４３５】
当業者であれば本方法実施形態のステップのうちの全部又は一部を関連するハードウェアに指令するプログラムによって実装し得ることを理解されよう。このプログラムはコンピュータ可読記憶媒体に記憶させることがある。プログラムを実行すると、本方法実施形態のステップが実行される。前掲の記憶媒体には、プログラム・コードを記憶することが可能なＲＯＭ、ＲＡＭ、磁気ディスク又は光学ディスクなどの任意の媒体が含まれる。
【０４３６】
最後に、前掲の実施形態が単に本発明の技術的解決法を説明することを目的としたものであり、本発明を限定する目的でないことに留意すべきである。前掲の実施形態を参照しながら本発明について詳細に説明してきたが、当業者であれば前掲の実施形態で記載した技術的解決法に対して依然として修正を行うこと、又はその技術的特徴の一部又は全部に対して等価的な置き換えを行うこと、ができること（ただし、これらの修正や置き換えによって、対応する技術的解決法の本質が本発明の実施形態の技術的解決法の範囲を逸脱しない場合に限る）を理解すべきである。
【図１】
2018023150.tif 000071
【図２】
2018023150.tif 000072
【図３】
2018023150.tif 000073
【図４】
2018023150.tif 000074
【図５】
2018023150.tif 000075
【図６】
2018023150.tif 000076
【図７】
2018023150.tif 000077
【図８】
2018023150.tif 000078
【図９】
2018023150.tif 000079
【図１０】
2018023150.tif 000080
【図１１】
2018023150.tif 000081
【図１２】
2018023150.tif 000082
【図１３】
2018023150.tif 000083
【図１４】
2018023150.tif 000084
【図１５Ａ】
2018023150.tif 000085
【図１５Ｂ】
2018023150.tif 000086
【図１６】
2018023150.tif 000087
【図１７】
2018023150.tif 000088
【図１８】
2018023150.tif 000089
【図１９】
2018023150.tif 000090
【図２０Ａ】
2018023150.tif 000091
【図２０Ｂ】
2018023150.tif 000092
【図２１】
2018023150.tif 000093
【図２２】
2018023150.tif 000094
【図２３】
2018023150.tif 000095
【外国語明細書】
2018023150000001.pdf